(57)【特許請求の範囲】
【請求項１】
ワイヤレス通信システムにおける接続状態にあるワイヤレスデバイスのための方法であって、前記方法は、
アップリンクチャネルについて第１の送信サイクルを識別することと、
前記アップリンクチャネルについて前記第１の送信サイクルに関して第１のオフサイクルを識別することと、ここにおいて、前記ワイヤレスデバイスは、前記第１のオフサイクル中に送信するのを控える、
前記識別された第１の送信サイクルに従ってスケジューリング要求またはランダムアクセスチャネルメッセージを送信することと、ここにおいて、前記ワイヤレスデバイスは、前記第１のオフサイクル中に前記スケジューリング要求または前記ランダムアクセスチャネルメッセージを送信するのを控える、
を備え、
前記ワイヤレスデバイスが、前記第１の送信サイクルを利用するワイヤレスデバイスの第１のセットの一部であり、前記第１の送信サイクルが、ワイヤレスデバイスの第２のセットによって利用される第２の送信サイクルからスタッガされる、
ここにおいて、前記ワイヤレスデバイスが、しきい値に関して定義された遅延耐性を有する遅延耐性デバイスを備え、前記遅延耐性が前記第１の送信サイクルに少なくとも部分的に基づく、
ここにおいて、前記しきい値は、前記ワイヤレスデバイスが、同期を失うことなしに別のワイヤレスデバイスまたは基地局と通信する必要がその間にない、しきい値時間期間である、
方法。
【請求項２】
前記接続状態がＲＲＣ＿ＣＯＮＮＥＣＴＥＤ状態を備える、請求項１に記載の方法。
【請求項３】
不連続送信（ＤＴＸ）サイクルが前記第１の送信サイクルと前記第１のオフサイクルとを備える、請求項１に記載の方法。
【請求項４】
基地局から前記ＤＴＸサイクルのインジケーションを受信することと、
前記受信されたＤＴＸサイクルインジケーションに従って送信することと
をさらに備える、請求項３に記載の方法。
【請求項５】
ＤＲＸ  ＯＮ持続時間とＤＲＸ  ＯＦＦ持続時間とを備える不連続受信（ＤＲＸ）サイクルマスクを利用することをさらに備え、ここにおいて、前記ワイヤレスデバイスは、前記ＤＲＸ  ＯＦＦ持続時間中に受信するのを控える、請求項３に記載の方法。
【請求項６】
前記ＤＲＸサイクルの各ＤＲＸ  ＯＮ持続時間が前記ＤＴＸサイクルのＤＴＸ  ＯＮ持続時間と一致し、前記ＤＴＸサイクルが前記ＤＲＸサイクルよりも短い期間を有する、請求項５に記載の方法。
【請求項７】
前記ＤＴＸサイクルの各ＤＴＸ  ＯＮ持続時間が前記ＤＲＸサイクルのＤＲＸ  ＯＮ持続時間と一致し、前記ＤＲＸサイクルが前記ＤＴＸサイクルよりも短い期間を有する、請求項５に記載の方法。
【請求項８】
ワイヤレス通信システムにおける接続状態にあるワイヤレスデバイスの過負荷制御のためのシステムであって、前記システムは、
アップリンクチャネルについて第１の送信サイクルを識別するための手段と、
前記アップリンクチャネルについて前記第１の送信サイクルに関して第１のオフサイクルを識別するための手段と、ここにおいて、前記ワイヤレスデバイスは、前記第１のオフサイクル中に送信するのを控える、
前記識別された第１の送信サイクルに従ってスケジューリング要求またはランダムアクセスチャネルメッセージを送信するための手段と、ここにおいて、前記ワイヤレスデバイスは、前記識別された第１の送信サイクルに従って前記スケジューリング要求または前記ランダムアクセスチャネルメッセージを送信するのを控える、
を備え、
前記ワイヤレスデバイスが、前記第１の送信サイクルを利用するワイヤレスデバイスの第１のセットの一部であり、前記第１の送信サイクルが、ワイヤレスデバイスの第２のセットによって利用される第２の送信サイクルからスタッガされる、
ここにおいて、前記ワイヤレスデバイスが、しきい値に関して定義された遅延耐性を有する遅延耐性デバイスを備え、前記遅延耐性が前記第１の送信サイクルに少なくとも部分的に基づく、
ここにおいて、前記しきい値は、前記ワイヤレスデバイスが、同期を失うことなしに別のワイヤレスデバイスまたは基地局と通信する必要がその間にない、しきい値時間期間である、
システム。
【請求項９】
前記接続状態がＲＲＣ＿ＣＯＮＮＥＣＴＥＤ状態を備える、請求項８に記載のシステム。
【請求項１０】
不連続送信（ＤＴＸ）サイクルが前記第１の送信サイクルと前記第１のオフサイクルとを備える、請求項８に記載のシステム。
【請求項１１】
基地局から前記ＤＴＸサイクルのインジケーションを受信するための手段と、
前記受信されたＤＴＸサイクルインジケーションに従って送信するための手段と
をさらに備える、請求項１０に記載のシステム。
【請求項１２】
ＤＲＸ  ＯＮ持続時間とＤＲＸ  ＯＦＦ持続時間とを備える不連続受信（ＤＲＸ）サイクルマスクを利用するための手段をさらに備え、ここにおいて、前記ワイヤレスデバイスは、前記ＤＲＸ  ＯＦＦ持続時間中に受信するのを控える、請求項１０に記載のシステム。
【請求項１３】
前記ＤＲＸサイクルの各ＤＲＸ  ＯＮ持続時間が前記ＤＴＸサイクルのＤＴＸ  ＯＮ持続時間と一致し、前記ＤＴＸサイクルが前記ＤＲＸサイクルよりも短い期間を有する、または、
前記ＤＴＸサイクルの各ＤＴＸ  ＯＮ持続時間が前記ＤＲＸサイクルのＤＲＸ  ＯＮ持続時間と一致し、前記ＤＲＸサイクルが前記ＤＴＸサイクルよりも短い期間を有する、請求項１２に記載のシステム。
【発明の詳細な説明】
【技術分野】
【０００１】
相互参照
[0001]本特許出願は、各々が本出願の譲受人に譲渡された、２０１４年５月８日に出願された、「OVERLOAD CONTROL AND SUPERVISION FOR WIRELESS DEVICES」と題する、Ｊｉらによる米国特許出願第１４／２７３，４７８号、および２０１３年５月９日に出願された、「OVERLOAD CONTROL AND SUPERVISION FOR WIRELESS DEVICES」と題する、Ｊｉらによる米国仮特許出願第６１／８２１，５８０号の優先権を主張する。
【背景技術】
【０００２】
[0002]様々なタイプのワイヤレスデバイスが自動化通信を提供し得る。自動化ワイヤレスデバイスは、マシンツーマシン（Ｍ２Ｍ：Machine-to-Machine）通信またはマシンタイプ通信（ＭＴＣ：Machine Type Communication）を実装するデバイスを含み得る。Ｍ２Ｍおよび／またはＭＴＣは、デバイスが人の介在なしに互いにまたは基地局と通信することを可能にするデータ通信技術を指し得る。たとえば、Ｍ２Ｍおよび／またはＭＴＣは、情報を測定またはキャプチャし、その情報を中央サーバまたはアプリケーションプログラムに中継するためにセンサまたはメータを組み込むデバイスからの通信を指し得、中央サーバまたはアプリケーションプログラムは、その情報を利用することができるか、あるいはプログラムまたはアプリケーションと対話している人間にその情報を提示することができる。これらのデバイスは、Ｍ２Ｍデバイス、ＭＴＣデバイスおよび／またはＭＴＣユーザ機器（ＵＥ：user equipment）と呼ばれることがある。
【０００３】
[0003]ＭＴＣデバイスは、情報を収集するため、または、マシンの自動化された挙動を可能にするために使用され得る。ＭＴＣデバイスに関する適用例としては、スマートメータリング、インベントリモニタリング、水位モニタリング、機器モニタリング、ヘルスケアモニタリング、野生生物モニタリング、天候および地質学的事象モニタリング、フリート管理および追跡、リモートセキュリティ検知、物理的アクセス制御、ならびにトランザクションベースのビジネス課金がある。自動車、セキュリティ、ヘルスケア、およびフリート管理などの業界が、生産性増大、コスト管理、および／または顧客サービス拡大のためにＭＴＣを採用するにつれて、ＭＴＣデバイスの市場は急速に成長することが予想される。たとえば、ＭＴＣ接続性市場は、２０１４年までに現場において採用されるデバイスが２億個超に成長し得ることが推定される。
【０００４】
[0004]ＭＴＣデバイスは、様々なワイヤードおよび／またはワイヤレス通信技術を使用し得る。たとえば、ＭＴＣデバイスは、３ＧＰＰロングタームエボリューション（ＬＴＥ）および／もしくはＬＴＥアドバンスト（ＬＴＥ−Ａ）などの様々なワイヤレスセルラー技術ならびに／または様々なワイヤレスネットワーキング技術（たとえば、ＩＥＥＥ８０２．１１（Ｗｉ−Ｆｉ（登録商標））、ＩＥＥＥ８０２．１６（ＷｉＭＡＸ（登録商標））など）を介して、ネットワークと通信し得る。ＭＴＣデバイスはまた、Ｂｌｕｅｔｏｏｔｈ（登録商標）、ＺｉｇＢｅｅ（登録商標）、および／または他のアドホックもしくはメッシュネットワーク技術など、様々なピアツーピア技術を使用して互いに通信し得る。世界中の多元接続ワイヤレスネットワークの拡大は、ＭＴＣ通信が行われることをはるかに容易にしており、情報がマシン間で通信されるために必要な電力および時間の量を低減している。これらのネットワークはまた、製品が販売されることに関して、消費者と生産者との間の数々の新しいビジネス機会と接続とを可能にする。
【０００５】
[0005]ますます増大するＭＴＣデバイスの数とそれへの依拠とは、ＭＴＣデバイスに関連する送信をスケジュールすることと、リソースを割り振ることと、コンテキストデータを管理することとに関連する問題を引き起こし得る。同様の問題は、長いスリープサイクルを有するユーザ機器（ＵＥ）にも、および／または別のデバイスもしくは基地局から信号を送信もしくは受信することなしに拡張された時間期間の間動作することが可能であり得る他のデバイスにも起こり得る。
【発明の概要】
【０００６】
[0006]説明する特徴は、概して、ワイヤレスデバイスの送信過負荷制御および／または監視（transmission overload control and/or supervision）のための１つまたは複数の改善されたシステム、方法、および／またはデバイスに関する。本システム、方法、および／またはデバイスは、基地局に接続された多数のワイヤレスデバイスに関連する問題を解決するためのツールおよび技法を含み得る。
【０００７】
[0007]いくつかの実施形態は、ワイヤレス通信システムにおける接続状態にある１つまたは複数のワイヤレスデバイスのための過負荷制御のための方法を含む。いくつかの実施形態では、本方法は、アップリンクチャネルについて第１の送信サイクルを識別することを含み得る。本方法は、アップリンクチャネルについて第１の送信サイクルに関して第１のオフサイクルを識別することをさらに含み得る。ワイヤレスデバイスは、第１のオフサイクル中に送信するのを控え得る。送信は、識別された第１の送信サイクルに従って行われ得る。送信は、たとえば、ワイヤレスデバイスから送信されるスケジューリング要求またはランダムアクセスチャネルメッセージを含み得る。
【０００８】
[0008]いくつかの方法では、ワイヤレスデバイスは遅延耐性デバイス（delay-tolerant device）であり得る。遅延耐性（delay tolerance）は、しきい値に関して定義され得る。たとえば、遅延耐性デバイスは、別のデバイスおよび／または基地局と通信することなしに拡張された時間期間の間動作することが可能なデバイスであり得る。いくつかの実施形態では、遅延耐性は送信サイクルにリンクされる。いくつかの態様では、ワイヤレスデバイスは、長いスリープサイクルをもつＵＥおよび／またはＭＴＣデバイスであり得る。
【０００９】
[0009]いくつかの実施形態では、本方法は、第１の送信サイクルを利用し得るワイヤレスデバイスの第１のセットの一部である、ワイヤレスデバイスのための過負荷制御を含み得る。いくつかの他のワイヤレスデバイスは、第２の送信サイクルを利用し得るワイヤレスデバイスの第２のセットの一部であり得る。第２の送信サイクルは第１のサイクルからスタッガ（staggered）され得る。
【００１０】
[0010]いくつかの方法では、第１の送信サイクルは、ワイヤレスデバイスの１つまたは複数の構成要素がその間にパワーオンされるスタッガード期間を含み得る。いくつかの実施形態では、不連続送信（ＤＴＸ：discontinuous transmission）サイクルが第１の送信サイクルと第１のオフサイクルとを含む。ＤＴＸサイクルは、ワイヤレスデバイスの１つまたは複数の構成要素をパワーオンおよび／またはモニタするために１つまたは複数のタイマーを利用し得る。いくつかの実施形態では、本方法は、基地局からＤＴＸサイクルのインジケーションを受信することと、受信されたＤＴＸサイクルインジケーションに従って送信することとを含み得る。いくつかの実施形態では、本方法は、ＤＲＸ  ＯＮ持続時間とＤＲＸ  ＯＦＦ持続時間とを備える不連続受信（ＤＲＸ：discontinuous reception）サイクルマスクを利用することをさらに含み得、ここにおいて、ワイヤレスデバイスは、ＤＲＸ  ＯＦＦ持続時間中に受信するのを控える。
【００１１】
[0011]いくつかの方法では、第１の送信サイクルは不連続受信（ＤＲＸ）サイクルに対応し得る。ＤＲＸサイクルのいくつかのＤＲＸ  ＯＮ持続時間はＤＴＸサイクルのＤＴＸ  ＯＮ持続時間と一致し得る。そのような場合、ＤＴＸサイクルはＤＲＸサイクルよりも短い期間を有し得る。いくつかの実施形態では、ＤＴＸサイクルのいくつかのＤＴＸ  ＯＮ持続時間はＤＲＸサイクルのＤＲＸ  ＯＮ持続時間と一致する。そのような場合、ＤＲＸサイクルはＤＴＸサイクルよりも短い期間を有し得る。いくつかの実施形態では、この特徴は、ワイヤレスデバイスがＤＲＸ  ＯＦＦ期間中に受信するように要求されないことを実現し得る、ＤＲＸサイクルマスクを含む。
【００１２】
[0012]いくつかの方法では、接続されたワイヤレスデバイスはＲＲＣ＿ＣＯＮＮＥＣＴＥＤ状態にある。ワイヤレスデバイスは超低電力デバイスであり得る。いくつかの実施形態では、本方法は、ｅノードＢ（ｅＮＢ）などの基地局から第１の送信サイクルを受信することを含み得る。いくつかの実施形態では、本方法は、ワイヤレスデバイスがスリープモードにある間にＲＲＣ＿ＣＯＮＮＥＣＴＥＤ状態のままであることを含む。ワイヤレスデバイスは、基地局から受信された第１の送信サイクルに従って動作し得る。
【００１３】
[0013]いくつかの実施形態は、ワイヤレス通信システムにおける接続状態にある１つまたは複数のワイヤレスデバイスのための過負荷制御のためのシステムを含む。本システムは、アップリンクチャネルについて第１の送信サイクルを識別するための手段を含み得る。本システムは、アップリンクチャネルについて第１の送信サイクルに関して第１のオフサイクルを識別するための手段をさらに含み得る。ワイヤレスデバイスは、第１のオフサイクル中に送信するのを控え得る。本システムは、識別された第１の送信サイクルに従って行われ得る、送信するための手段をも含み得る。送信は、たとえば、少なくとも、ワイヤレスデバイスから送信されるスケジューリング要求またはランダムアクセスチャネルメッセージを含み得る。
【００１４】
[0014]いくつかのシステムでは、ワイヤレスデバイスは遅延耐性デバイスであり得る。遅延耐性は、しきい値に関して定義され得る。たとえば、遅延耐性デバイスは、別のデバイスおよび／または基地局と通信することなしに拡張された時間期間の間動作することが可能であるデバイスであり得る。いくつかの実施形態では、遅延耐性は送信サイクルにリンクされ得る。いくつかの態様では、ワイヤレスデバイスは、長いスリープサイクルをもつＵＥおよび／またはＭＴＣデバイスであり得る。
【００１５】
[0015]いくつかのシステムでは、ワイヤレスデバイスは、第１の送信サイクルを利用するための手段をもつワイヤレスデバイスの第１のセットの一部であり得る。いくつかの他のワイヤレスデバイスは、第２の送信サイクルを利用するための手段をもつワイヤレスデバイスの第２のセットの一部であり得る。第２の送信サイクルは第１のサイクルからスタッガされ得る。
【００１６】
[0016]いくつかのシステムでは、第１の送信サイクルは、ワイヤレスデバイスの１つまたは複数の構成要素がその間にパワーオンされるスタッガード期間を含み得る。いくつかの実施形態では、不連続送信（ＤＴＸ）サイクルが第１の送信サイクルと第１のオフサイクルとを含む。本システムは、ＤＴＸサイクルが、ワイヤレスデバイスの１つまたは複数の構成要素をパワーオンおよび／またはモニタするために１つまたは複数のタイマーを利用するための手段をさらに備え得る。いくつかの実施形態では、本システムは、基地局からＤＴＸサイクルのインジケーションを受信するための手段と、受信されたＤＴＸサイクルインジケーションに従って送信するための手段とをさらに備える。いくつかの実施形態では、本システムは、ＤＲＸ  ＯＮ持続時間とＤＲＸ  ＯＦＦ持続時間とを含む不連続受信（ＤＲＸ）サイクルマスクを利用するための手段をさらに備え、ここにおいて、ワイヤレスデバイスは、ＤＲＸ  ＯＦＦ持続時間中に受信するのを控える。
【００１７】
[0017]いくつかのシステムでは、第１の送信サイクルは不連続受信（ＤＲＸ）サイクルに対応する。ＤＲＸサイクルのいくつかのＤＲＸ  ＯＮ持続時間は、ＤＴＸサイクルのいくつかのＤＴＸ  ＯＮ持続時間と一致し得る。そのような場合、ＤＴＸサイクルはＤＲＸサイクルよりも短い期間を有し得る。いくつかの実施形態では、ＤＴＸサイクルのいくつかのＤＴＸ  ＯＮ持続時間は、ＤＲＸサイクルのいくつかのＤＲＸ  ＯＮ持続時間と一致する。そのような場合、ＤＲＸサイクルはＤＴＸサイクルよりも短い期間を有し得る。
【００１８】
[0018]いくつかのシステムでは、接続されたワイヤレスデバイスはＲＲＣ＿ＣＯＮＮＥＣＴＥＤ状態にある。ワイヤレスデバイスは超低電力デバイスであり得る。いくつかの態様では、本システムは、ｅＮＢなどの基地局から第１の送信サイクルを受信するための手段を含み得る。いくつかの実施形態では、本システムは、ワイヤレスデバイスがスリープモードにある間にＲＲＣ＿ＣＯＮＮＥＣＴＥＤ状態のままであるための手段を含み得る。いくつかの態様は、基地局から受信された第１の送信サイクルに従ってワイヤレスデバイスを動作させるための手段を含み得る。
【００１９】
[0019]いくつかの実施形態は、ワイヤレス通信システムにおける接続状態にある１つまたは複数のワイヤレスデバイスのための過負荷制御のためのデバイスを含む。いくつかの実施形態では、これらのデバイスは少なくとも１つのプロセッサを含み、そのプロセッサにメモリが結合される。プロセッサは、アップリンクチャネルについて第１の送信サイクルを識別するように構成され得る。いくつかの実施形態では、プロセッサは、アップリンクチャネルについて第１の送信サイクルに関して第１のオフサイクルを識別するように構成され得る。ワイヤレスデバイスは、第１のオフサイクル中に送信するのを控え得る。いくつかの実施形態では、プロセッサは、ワイヤレスデバイスから識別された第１の送信サイクルに従って少なくともスケジューリング要求またはランダムアクセスチャネルメッセージを送信するように構成される。
【００２０】
[0020]いくつかの実施形態では、ワイヤレスデバイスは、第１の送信サイクルを利用するワイヤレスデバイスの第１のセットの一部であり得る。いくつかの他のワイヤレスデバイスは、第２の送信サイクルを利用するワイヤレスデバイスの第２のセットの一部であり得る。第２の送信サイクルは第１のサイクルからスタッガされ得る。
【００２１】
[0021]いくつかの実施形態では、ワイヤレスデバイスは遅延耐性デバイスであり得る。遅延耐性は、しきい値に関して定義され得る。たとえば、遅延耐性デバイスは、別のデバイスおよび／または基地局と通信することなしに拡張された時間期間の間動作することが可能であるデバイスであり得る。いくつかの実施形態では、遅延耐性は送信サイクルにリンクされ得る。いくつかの実施形態では、ワイヤレスデバイスは、長いスリープサイクルをもつＵＥおよび／またはＭＴＣデバイスであり得る。
【００２２】
[0022]いくつかの実施形態では、第１の送信サイクルは、ワイヤレスデバイスの１つまたは複数の構成要素がその間にパワーオンされるスタッガード期間を含み得る。いくつかの実施形態では、不連続送信（ＤＴＸ）サイクルが第１の送信サイクルと第１のオフサイクルとを備える。プロセッサは、ＤＴＸサイクルが、ワイヤレスデバイスの１つまたは複数の構成要素をパワーオンおよび／またはモニタするために１つまたは複数のタイマーを利用するようにさらに構成され得る。いくつかの実施形態では、プロセッサは、基地局からＤＴＸサイクルのインジケーションを受信することと、受信されたＤＴＸサイクルインジケーションに従って送信することとを行うようにさらに構成され得る。いくつかの実施形態では、プロセッサは、ＤＲＸ  ＯＮ持続時間とＤＲＸ  ＯＦＦ持続時間とを備える不連続受信（ＤＲＸ）サイクルマスクを利用するように構成され得、ここにおいて、ワイヤレスデバイスは、ＤＲＸ  ＯＦＦ持続時間中に受信するのを控える。
【００２３】
[0023]いくつかの実施形態では、第１の送信サイクルは不連続受信（ＤＲＸ）サイクルに対応する。ＤＲＸサイクルのいくつかのＤＲＸ  ＯＮ持続時間は、ＤＴＸサイクルのいくつかのＤＴＸ  ＯＮ持続時間と一致し得る。そのような場合、ＤＴＸサイクルはＤＲＸサイクルよりも短い期間を有し得る。いくつかの実施形態では、ＤＴＸサイクルのいくつかのＤＴＸ  ＯＮ持続時間は、ＤＲＸサイクルのいくつかのＤＲＸ  ＯＮ持続時間と一致する。そのような場合、ＤＲＸサイクルはＤＴＸサイクルよりも短い期間を有し得る。
【００２４】
[0024]いくつかの実施形態では、接続されたワイヤレスデバイスはＲＲＣ＿ＣＯＮＮＥＣＴＥＤ状態にある。ワイヤレスデバイスは超低電力デバイスであり得る。いくつかの実施形態では、プロセッサは、ｅＮＢなどの基地局から第１の送信サイクルを受信するように構成され得る。いくつかの実施形態では、ワイヤレスデバイスは、ワイヤレスデバイスがスリープモードにある間にＲＲＣ＿ＣＯＮＮＥＣＴＥＤ状態のままであるように構成されたプロセッサを含み得る。いくつかの実施形態は、基地局から受信された第１の送信サイクルに従ってワイヤレスデバイスを動作させるためにプロセッサによって実行可能な命令を含み得る。
【００２５】
[0025]いくつかの実施形態は、ワイヤレス通信システムにおける接続状態にある１つまたは複数のワイヤレスデバイスのための過負荷制御のためのコンピュータプログラム製品を含む。いくつかの実施形態では、コンピュータプログラム製品は、プログラムコードがその上に記録された非一時的コンピュータ可読媒体を含み得る。プログラムコードは、アップリンクチャネルについて第１の送信サイクルを識別するための命令を含み得る。プログラムコードは、アップリンクチャネルについて第１の送信サイクルに関して第１のオフサイクルを識別するための命令を含み得る。ワイヤレスデバイスは、第１のオフサイクル中に送信するのを控え得る。いくつかの実施形態では、プログラムコードは、ワイヤレスデバイスから識別された第１の送信サイクルに従って少なくともスケジューリング要求またはランダムアクセスチャネルメッセージを送信するための命令を含み得る。
【００２６】
[0026]いくつかの実施形態は、ワイヤレス通信システムにおけるワイヤレスデバイスの監視（supervision）のための方法を含む。本方法は、ワイヤレスデバイスと、ｅＮＢなどの基地局との間のハンドシェイク後にワイヤレスデバイスにおいてタイマーを開始することを含み得る。ワイヤレスデバイスは、タイマーの満了時に基地局にキープアライブハンドシェイク開始メッセージを送信し得る。ハンドシェイクは、第１のメッセージを送信することと、第１のメッセージに対応する第１の応答を受信することとを含み得る。追加または代替として、ハンドシェイクは、第２のメッセージを受信することと、第２のメッセージに対応する第２の応答を送信することとを含み得る。
【００２７】
[0027]本方法のいくつかの実施形態では、ワイヤレスデバイスは遅延耐性デバイスであり得る。遅延耐性は、しきい値に関して定義され得る。たとえば、遅延耐性デバイスは、別のデバイスおよび／または基地局と通信することなしに拡張された時間期間の間動作することが可能であるデバイスであり得る。いくつかの実施形態では、遅延耐性は送信サイクルにリンクされ得る。ワイヤレスデバイスは、長いスリープサイクルをもつＵＥおよび／またはＭＴＣデバイスであり得る。
【００２８】
[0028]キープアライブハンドシェイク開始メッセージはランダムアクセスチャネルメッセージであり得る。いくつかの実施形態では、本方法は、応答メッセージをリッスンすることと、クロージングメッセージで返答することとを含む。いくつかの実施形態では、キープアライブハンドシェイク開始メッセージはスケジューリング要求である。いくつかの実施形態では、本方法は、アップリンク許可をリッスンすることと、クロージングメッセージをもつペイロード中で返答することとを含む。本方法は、ハンドシェイク後にタイマーをリセットすることをさらに含み得る。
【００２９】
[0029]いくつかの実施形態は、ワイヤレス通信システムにおけるワイヤレスデバイスの監視のためのシステムを含む。いくつかの実施形態では、本システムは、ワイヤレスデバイスと基地局との間のハンドシェイク後にワイヤレスデバイスにおいてタイマーを開始するための手段を含む。本システムは、タイマーの満了時に基地局にキープアライブハンドシェイク開始メッセージを送信するための手段をさらに含み得る。
【００３０】
[0030]キープアライブハンドシェイク開始メッセージは、たとえば、ランダムアクセスチャネルメッセージを含み得る。本システムは、応答メッセージをリッスンするための手段と、クロージングメッセージで返答するための手段とをさらに含み得る。いくつかの実施形態では、キープアライブハンドシェイク開始メッセージはスケジューリング要求である。本システムは、アップリンク許可をリッスンするための手段と、クロージングメッセージをもつペイロード中で返答するための手段とを含み得る。本システムは、ハンドシェイク後にタイマーをリセットするための手段をさらに含み得る。
【００３１】
[0031]いくつかの実施形態は、ワイヤレス通信システムにおけるワイヤレスデバイスの監視のためのデバイスを含む。いくつかの実施形態では、これらのデバイスは、少なくとも１つのプロセッサと、そのプロセッサに結合されたメモリとを含む。プロセッサは、ワイヤレスデバイスと基地局との間のハンドシェイク後にワイヤレスデバイスにおいてタイマーを開始するように構成され得る。プロセッサはまた、タイマーの満了時に基地局にキープアライブハンドシェイク開始メッセージを送信するように構成され得る。
【００３２】
[0032]いくつかの実施形態は、ワイヤレス通信システムにおけるワイヤレスデバイスの監視のためのコンピュータプログラム製品を含む。いくつかの例では、コンピュータプログラム製品は、プログラムコードがその上に記録された非一時的コンピュータ可読媒体を含む。プログラムコードは、ワイヤレスデバイスと基地局との間のハンドシェイク後にワイヤレスデバイスにおいてタイマーを開始するための命令を含み得る。プログラムコードはまた、タイマーの満了時に基地局にキープアライブハンドシェイク開始メッセージを送信するための命令を含み得る。
【００３３】
[0033]いくつかの実施形態は、ワイヤレス通信システムにおけるワイヤレスデバイスの監視のための方法を含む。いくつかの実施形態では、本方法は、接続されたワイヤレスデバイスのリストを決定することと、接続されたワイヤレスデバイスのリストを含む１つまたは複数のメッセージをブロードキャストすることとを含む。本方法は、ワイヤレスデバイスから、接続されたワイヤレスデバイスのリスト上にそのワイヤレスデバイスがないというメッセージを受信することをさらに含み得る。接続されたデバイスのリストは、たとえば、ある時間期間内にキープアライブメッセージを送信していない１つまたは複数のワイヤレスデバイスを含み得る。いくつかの実施形態では、１つまたは複数のメッセージをブロードキャストすることは、スタッガードＤＲＸサイクルに基づいて複数のメッセージを送信することを含む。それらの複数のメッセージからのいくつかのメッセージは、接続されたワイヤレスデバイスのリストからの、接続されたワイヤレスデバイスのサブセットを含み得る。
【００３４】
[0034]いくつかの実施形態では、１つまたは複数のワイヤレスデバイスは遅延耐性である。遅延耐性は、しきい値に関して定義され得る。いくつかの例では、遅延耐性は第１の送信サイクルにリンクされ得る。いくつかの実施形態では、１つまたは複数のワイヤレスデバイスは、長いスリープサイクルをもつＵＥまたはＭＴＣデバイスを含む。
【００３５】
[0035]いくつかの実施形態は、ワイヤレス通信システムにおけるワイヤレスデバイスの監視のためのシステムを含む。いくつかの例では、本システムは、接続されたワイヤレスデバイスのリストを決定するための手段と、接続されたワイヤレスデバイスのリストを含む１つまたは複数のメッセージをブロードキャストするための手段とを含む。いくつかの実施形態では、本システムは、ワイヤレスデバイスから、接続されたデバイスのリスト上にそのワイヤレスデバイスがないというメッセージを受信するための手段をさらに含む。接続されたデバイスのリストは、ある時間期間内にキープアライブハンドシェイク開始メッセージを送信していない１つまたは複数のワイヤレスデバイスを含み得る。
【００３６】
[0036]いくつかの実施形態では、１つまたは複数のメッセージをブロードキャストするための手段は、スタッガードＤＲＸサイクルに基づいて複数のメッセージを送信するための手段を含む。それらの複数のメッセージからのいくつかのメッセージは、接続されたワイヤレスデバイスのリストからの、接続されたワイヤレスデバイスのサブセットを含み得る。
【００３７】
[0037]いくつかの実施形態は、ワイヤレス通信システムにおけるワイヤレスデバイスの監視のためのデバイスを含む。いくつかの実施形態では、これらのデバイスは、少なくとも１つのプロセッサと、そのプロセッサに結合されたメモリとを含む。プロセッサは、接続されたデバイスのリストを決定することと、接続されたデバイスのリストを含む１つまたは複数のメッセージをブロードキャストすることを行うように構成され得る。
【００３８】
[0038]いくつかの実施形態は、ワイヤレス通信システムにおけるワイヤレスデバイスの監視のためのコンピュータプログラム製品を含む。いくつかの実施形態では、コンピュータプログラム製品は、プログラムコードがその上に記録された非一時的コンピュータ可読媒体を含み得る。プログラムコードは、接続されたデバイスのリストを決定するための命令と、接続されたデバイスのリストを含む１つまたは複数のメッセージをブロードキャストするための命令とを含み得る。
【００３９】
[0039]説明する方法、システム、およびデバイスの適用性のさらなる範囲は、以下の詳細な説明、特許請求の範囲、および図面から明らかになろう。当業者には詳細な説明の趣旨および範囲内の様々な変更および修正が明らかになるので、詳細な説明および特定の例は、例示として与えられるものにすぎない。
【００４０】
[0040]以下の図面を参照することにより、本発明の性質および利点のさらなる理解が得られ得る。添付の図において、同様の構成要素または特徴は同じ参照ラベルを有し得る。さらに、同じタイプの様々な構成要素は、参照ラベルの後に、ダッシュと、それらの同様の構成要素同士を区別する第２のラベルとを続けることによって区別され得る。第１の参照ラベルのみが明細書において使用される場合、その説明は、第２の参照ラベルにかかわらず、同じ第１の参照ラベルを有する同様の構成要素のいずれにも適用可能である。
【図面の簡単な説明】
【００４１】
【図１】[0041]いくつかの実施形態によるワイヤレス通信システムの図。
【図２】[0042]いくつかの実施形態によるワイヤレス通信システムの図。
【図３Ａ】[0043]いくつかの実施形態によるワイヤレス通信システムにおける１つまたは複数のデバイスの図。
【図３Ｂ】いくつかの実施形態によるワイヤレス通信システムにおける１つまたは複数のデバイスの図。
【図３Ｃ】いくつかの実施形態によるワイヤレス通信システムにおける１つまたは複数のデバイスの図。
【図４Ａ】[0044]いくつかの実施形態によるワイヤレス通信システムの図。
【図４Ｂ】いくつかの実施形態によるワイヤレス通信システムの図。
【図５Ａ】[0045]いくつかの実施形態によるワイヤレス通信システムの図。
【図５Ｂ】いくつかの実施形態によるワイヤレス通信システムの図。
【図６Ａ】[0046]いくつかの実施形態によるワイヤレス通信システムにおける１つまたは複数のデバイスの図。
【図６Ｂ】いくつかの実施形態によるワイヤレス通信システムにおける１つまたは複数のデバイスの図。
【図６Ｃ】いくつかの実施形態によるワイヤレス通信システムにおける１つまたは複数のデバイスの図。
【図７】[0047]いくつかの実施形態によるワイヤレス通信システムの図。
【図８】[0048]いくつかの実施形態によるワイヤレス通信システムの図。
【図９】[0049]いくつかの実施形態によるワイヤレス通信システムの図。
【図１０Ａ】[0050]いくつかの実施形態による、ワイヤレス通信システムにおいて通信する１つまたは複数の方法のフローチャート。
【図１０Ｂ】いくつかの実施形態による、ワイヤレス通信システムにおいて通信する１つまたは複数の方法のフローチャート。
【図１１Ａ】[0051]いくつかの実施形態による、ワイヤレス通信システムにおいて通信する１つまたは複数の方法のフローチャート。
【図１１Ｂ】いくつかの実施形態による、ワイヤレス通信システムにおいて通信する１つまたは複数の方法のフローチャート。
【図１２Ａ】[0052]いくつかの実施形態による、ワイヤレス通信システムにおいて通信する１つまたは複数の方法のフローチャート。
【図１２Ｂ】いくつかの実施形態による、ワイヤレス通信システムにおいて通信する１つまたは複数の方法のフローチャート。
【詳細な説明】
【００４２】
[0053]様々な実施形態による、ワイヤレスデバイスの送信過負荷制御および／または監視のための方法、システム、およびデバイスが提供される。本方法、システム、およびデバイスは、基地局に接続された多数のワイヤレスデバイスに関連する問題を解決することを提供し得る。たとえば、アップリンク上で同時に送信することを試みている多数の接続されたワイヤレスデバイスに関連する問題に対処するために使用され得るツールおよび技法について説明する。さらに、たとえば、ワイヤレスデバイスと基地局との間の低頻度の通信に関連する問題に対処するために使用され得るツールおよび技法が提供される。
【００４３】
[0054]場合によっては、ワイヤレスデバイスは遅延耐性デバイスであり得る。たとえば、遅延耐性デバイスは、別のデバイスおよび／または基地局と通信することなしに拡張された時間期間の間動作することが可能であるデバイスであり得る。いくつかの態様では、遅延耐性は送信サイクルにリンクされ得る。いくつかの実施形態では、ワイヤレスデバイスは、長いスリープサイクルをもつＵＥおよび／またはＭＴＣデバイスである。
【００４４】
[0055]説明する方法、システム、およびデバイスは、接続状態にあるワイヤレスデバイスの送信過負荷制御および／または監視のために使用され得る。接続されたワイヤレスデバイスは、たとえば、ＲＲＣ＿ＣＯＮＮＥＣＴＥＤ状態にあり得る。ワイヤレスデバイスが節電モード（「ディープスリープ」）にあるときでも、ワイヤレスデバイスが基地局とのセッション全体にわたってそれぞれＲＲＣ＿ＣＯＮＮＥＣＴＥＤ状態に保たれる状況が存在し得る。ワイヤレスデバイスをＲＲＣ＿ＣＯＮＮＥＣＴＥＤに維持することの利点は、ワイヤレスデバイスが、信号を送信または受信するために行う必要があり得る「ウェイクアップする」必要があるたびに、接続を確立することが不要であり得ることであり得る。しかしながら、これは、ネットワークが多数のＲＲＣ＿ＣＯＮＮＥＣＴＥＤワイヤレスデバイスを処理しなければならないという問題を提示し得る。たとえば、ｅＮＢなどの基地局は、ｅＮＢが本来なら維持する必要があり得るものよりも大きい桁数であるＭＴＣデバイスコンテキストデータを維持する必要があり得る。さらに、ｅＮＢは、多数のワイヤレスデバイスのためにリソースをスケジュールし、ランダムアクセスチャネル（ＲＡＣＨ）メッセージを管理する必要があり得る。ｅＮＢは、接続されたワイヤレスデバイスのモビリティ状態を管理する必要があり得る。
【００４５】
[0056]従来のＬＴＥコンテキストでは、不連続受信（ＤＲＸ）サイクルは、ＲＲＣ＿ＣＯＮＮＥＣＴＥＤ状態における、ＭＴＣデバイスを含む、ユーザ機器（ＵＥ）について定義され得る。ＤＲＸは、典型的には、ＵＥが、指定されたサブフレーム（ＤＲＸ  ＯＮ）中にダウンリンク制御シグナリングをモニタし、次いで、残りのサブフレーム（ＤＲＸ  ＯＦＦ）中に「スリープする」（たとえば、受信機回路をオフに切り替える）、構成可能なサイクルを伴う。ＤＲＸ  ＯＦＦ期間中にスリープすることは、ＵＥが電力を節約することを可能にし得る。ＤＲＸにおいてさえ、ＵＥは、いつでもアップリンクスケジューリング要求（ＳＲ：Scheduling Request）またはＲＡＣＨメッセージを送り得る。ｅＮＢは、そのようなＳＲまたはＲＡＣＨメッセージに応答する義務があり得る。多数のＵＥがＲＲＣ＿ＣＯＮＮＥＣＴＥＤ状態にある状況では、スリープ中である場合でも、ｅＮＢがスケジュールする必要が潜在的にあるかなりの数のＵＥがあり得る。
【００４６】
[0057]１つの解決策は、ワイヤレスデバイスをＲＲＣ＿ＩＤＬＥに維持し、次いで、過負荷状態中に、ある程度の時間期間の間ＲＡＣＨメッセージを制限することであり得る。ただし、この解決策は、関連する電力消費とともに潜在的に長いＤＲＸ  ＯＮ期間を生じ得る。
【００４７】
[0058]いくつかの実施形態では、解決策は、ＳＲおよび／またはＲＡＣＨ送信について不連続送信（ＤＴＸ）サイクル中に、あるいはすべてのアップリンク信号についてＤＴＸサイクル中に低デューティサイクルワイヤレスデバイスを維持することであり得る。これは、送信過負荷制御方式の一例を提供し得る。この送信サイクルは、ｅＮＢが任意の時間に限られた数のＲＲＣ＿ＣＯＮＮＥＣＴＥＤデバイスのみをスケジュールし得るようにスタッガされ得る。この解決策では、物理アップリンク共有チャネル（ＰＵＳＣＨ）は調節されることが不要であり得る。場合によっては、競合ベースのＰＵＳＣＨが導入される場合、負荷スロットリングが使用され得る。ＤＲＸと不連続送信またはＤＴＸの両方を採用する解決策は、ＤＲＸサイクルが送信またはＤＴＸサイクルよりも疎になるように特徴づけられ得、あるいはこの解決策は、送信またはＤＴＸサイクルよりも密なＤＲＸサイクルで特徴づけられ得る。いくつかの実施形態では、ＤＲＸサイクルのＤＲＸ  ＯＮ持続時間はＤＴＸサイクルのＤＴＸ  ＯＮ持続時間と一致し得る。ＤＴＸサイクルは、たとえば、ＤＲＸサイクルよりも短い期間を有し得る。場合によっては、ＤＲＸサイクルがＤＴＸサイクルよりも短い期間を有し得る。
【００４８】
[0059]送信過負荷制御方式は様々な方法で実装され得る。たとえば、一実装形態の態様は、ワイヤレスデバイスが、ＳＲおよび／またはＲＡＣＨ送信を可能にされるスタッガード時間を有する、明示的ＳＲおよび／またはＲＡＣＨオケージョン構成を伴い得る。一実装形態の態様は、タイマー、たとえば、ｄｔｘＯＮｔｉｍｅおよびｄｔｘＩＮＡＣＴＩＶＩＴＹｔｉｍｅｒと、送信を管理する関連するルールとで制御される、すべてのアップリンクトラフィックのためのＤＴＸを伴い得る。いくつかの実装形態の態様は、ＤＲＸ  ＯＦＦ制限にＳＲおよび／またはＲＡＣＨ送信期間を追加することを伴い得る。
【００４９】
[0060]また、様々な方法で実装され得る監視方式に関するツールおよび技法が提供され得る。ＭＴＣデバイス、たとえば、メータまたはセンサは、アップリンク（ＵＬ）半永続的スケジューリング（ＳＰＳ：semi-persistent scheduling）で構成され得、そのようなデバイスは、ダウンリンク（ＤＬ）ユニキャスト送信をめったに受信しないことがある。したがって、ｅＮＢはワイヤレスデバイスをそれのＲＲＣ＿ＣＯＮＮＥＣＴＥＤリストからプルーニングし得ることが可能である。このプルーニングは、負荷制御、非アクティビティ、および／または無線リンク障害（ＲＬＦ：radio link failure）を含む、いくつかの理由で行われ得る。このプルーニングはワイヤレスデバイスに対して透過的であり得る。したがって、ワイヤレスデバイスは送信中であり得るが、ｅＮＢはリッスンしていないことが起こり得る。ワイヤレスデバイスが（たとえば、キープアライブ技法で）プルーニングを回避することが可能でない場合、多数の送信されたパケットの紛失、ワイヤレスデバイスが圏外である長い時間、および／または、ワイヤレスデバイスに専用のリソース上にｅＮＢが不注意にスケジュールすることから生じる妨害送信を含む、望ましくない結果があり得る。
【００５０】
[0061]これらの望ましくない結果は、たとえば、ワイヤレスデバイスがタイマーおよび／またはパケットカウンタを実行する場合に回避され得る。そのようなタイマーは、ワイヤレスデバイスとｅＮＢとの間の各ハンドシェイク後にリセットされ得る。タイマーは、ワイヤレスデバイスの一態様またはアプリケーションレイヤの一態様であり得る。タイマーが満了したとき、ワイヤレスデバイスはキープアライブユニキャストハンドシェイクを開始し得る。ハンドシェイクの一例は、ワイヤレスデバイスがメッセージを送信し、ｅＮＢから応答を受信することを含み得る。ハンドシェイクの別の例は、ワイヤレスデバイスがｅＮＢからメッセージを受信し、応答を送信することを含み得る。ハンドシェイクの態様は、ワイヤレスデバイスがＲＡＣＨメッセージを送信し、応答メッセージについてｅＮＢをリッスンし、クロージングメッセージで返答することを伴い得る。ハンドシェイクの態様は、ＳＲを送り、ＵＬ許可についてリッスンし、クロージングメッセージをもつペイロード中で返答することを伴い得る。そのようなプロシージャは、ワイヤレスデバイスの監視のため、またはｅＮＢサイド監視のために使用され得る。
【００５１】
[0062]望ましくないプルーニングは、ｅＮＢからの周期的ブロードキャストメッセージで回避され得る。ｅＮＢは、ＣＯＮＮＥＣＴＥＤリスト上のすべてのワイヤレスデバイスに送信し得る。ＭＴＣデバイスは、それらがＣＯＮＮＥＣＴＥＤリスト上にあるべきかどうかを示す応答を送信し得る。ＣＯＮＮＥＣＴＥＤリストは、ユニキャストハンドシェイクを最近有しなかったワイヤレスデバイスのみに低減され得る。場合によっては、ＣＯＮＮＥＣＴＥＤリストは、ワイヤレスデバイスＤＲＸ  ＯＮ期間と整合された複数のブロードキャストメッセージ中で送信され得、このリストは、ＤＲＸ  ＯＮ期間中のワイヤレスデバイスのみを含み得る。別のリストは、スタッガードＤＲＸ  ＯＮ期間上のワイヤレスデバイスにブロードキャストされ、それらのワイヤレスデバイスを含み得る。そのようなシナリオでは、各リストは、完全なＣＯＮＮＥＣＴＥＤリストよりもかなり小さい。そのような解決策は、ＵＬおよびＤＬユニキャスト送信節約を提供し得る。
【００５２】
[0063]本明細書で説明する技法は、セルラーワイヤレスシステム、ピアツーピアワイヤレス通信、ワイヤレスローカルアクセスネットワーク（ＷＬＡＮ）、アドホックネットワーク、衛星通信システム、および他のシステムなど、様々なワイヤレス通信システムのために使用され得る。「システム」および「ネットワーク」という用語は、しばしば互換的に使用される。これらのワイヤレス通信システムは、符号分割多元接続（ＣＤＭＡ）、時分割多元接続（ＴＤＭＡ）、周波数分割多元接続（ＦＤＭＡ）、直交ＦＤＭＡ（ＯＦＤＭＡ）、シングルキャリアＦＤＭＡ（ＳＣ−ＦＤＭＡ）、および／または他の無線技術など、様々な無線通信技術を採用し得る。概して、ワイヤレス通信は、無線アクセス技術（ＲＡＴ）と呼ばれる１つまたは複数の無線通信技術の規格化された実装形態に従って行われる。無線アクセス技術を実装するワイヤレス通信システムまたはネットワークは無線アクセスネットワーク（ＲＡＮ）と呼ばれることがある。
【００５３】
[0064]ＣＤＭＡ技法を採用する無線アクセス技術の例としては、ＣＤＭＡ２０００、ユニバーサル地上波無線アクセス（ＵＴＲＡ：Universal Terrestrial Radio Access）などがある。ＣＤＭＡ２０００は、ＩＳ−２０００、ＩＳ−９５、およびＩＳ−８５６規格をカバーする。ＩＳ−２０００リリース０およびＡは、通常、ＣＤＭＡ２０００  １Ｘ、１Ｘなどと呼ばれる。ＩＳ−８５６（ＴＩＡ−８５６）は、通常、ＣＤＭＡ２０００  １ｘＥＶ−ＤＯ、高速パケットデータ（ＨＲＰＤ：High Rate Packet Data）などと呼ばれる。ＵＴＲＡは、広帯域ＣＤＭＡ（ＷＣＤＭＡ（登録商標））と、ＣＤＭＡの他の変形態とを含む。ＴＤＭＡシステムの例としては、モバイル通信用グローバルシステム（ＧＳＭ（登録商標）：Global System for Mobile Communications）の様々な実装形態がある。ＯＦＤＭおよび／またはＯＦＤＭＡを採用する無線アクセス技術の例としては、ウルトラモバイルブロードバンド（ＵＭＢ：Ultra Mobile Broadband）、発展型ＵＴＲＡ（Ｅ−ＵＴＲＡ：Evolved UTRA）、ＩＥＥＥ８０２．１１（Ｗｉ−Ｆｉ）、ＩＥＥＥ８０２．１６（ＷｉＭＡＸ）、ＩＥＥＥ８０２．２０、Ｆｌａｓｈ−ＯＦＤＭなどがある。ＵＴＲＡおよびＥ−ＵＴＲＡは、ユニバーサルモバイルテレコミュニケーションシステム（ＵＭＴＳ：Universal Mobile Telecommunication System）の一部である。３ＧＰＰロングタームエボリューション（ＬＴＥ：Long Term Evolution）およびＬＴＥアドバンスト（ＬＴＥ−Ａ：LTE-Advanced）は、Ｅ−ＵＴＲＡを使用するＵＭＴＳの新しいリリースである。ＵＴＲＡ、Ｅ−ＵＴＲＡ、ＵＭＴＳ、ＬＴＥ、ＬＴＥ−Ａ、およびＧＳＭは、「第３世代パートナーシッププロジェクト」（３ＧＰＰ：3rd Generation Partnership Project）と称する団体からの文書に記載されている。ＣＤＭＡ２０００およびＵＭＢは、「第３世代パートナーシッププロジェクト２」（３ＧＰＰ２：3rd Generation Partnership Project 2）と称する団体からの文書に記載されている。本明細書で説明する技法は、上述のシステムおよび無線技術、ならびに他のシステムおよび無線技術に使用され得る。
【００５４】
[0065]したがって、以下の説明は、例を与えるものであり、特許請求の範囲に記載された範囲、適用可能性、または構成を限定するものではない。本開示の趣旨および範囲から逸脱することなく、説明する要素の機能および構成において変更が行われ得る。様々な実施形態は、様々なプロシージャまたは構成要素を適宜に省略、置換、または追加し得る。たとえば、説明する方法は、説明する順序とは異なる順序で実施され得、様々なステップが追加、省略、または組み合わせられ得る。また、いくつかの実施形態に関して説明する特徴は、他の実施形態において組み合わせられ得る。
【００５５】
[0066]最初に図１を参照すると、図は、様々な実施形態によるワイヤレス通信システム１００の一例を示す。システム１００は、基地局（またはセル）１０５と、ワイヤレスデバイス１１５と、コアネットワーク１３０とを含む。基地局１０５は、様々な実施形態ではコアネットワーク１３０または基地局１０５の一部であり得る、基地局コントローラ１２０の制御下でワイヤレスデバイス１１５と通信し得る。基地局１０５は、バックホールリンク１３２を介してコアネットワーク１３０と制御情報および／またはユーザデータを通信し得る。いくつかの実施形態では、基地局１０５は、ワイヤードまたはワイヤレス通信リンクであり得るバックホールリンク１３４を介して、直接的あるいは間接的に互いに通信し得る。システム１００は、複数のキャリア（異なる周波数の波形信号）上での動作をサポートし得る。マルチキャリア送信機は、複数のキャリア上で同時に被変調信号を送信することができる。たとえば、各通信リンク１２５は、上記で説明した様々な無線技術に従って変調されたマルチキャリア信号であり得る。各被変調信号は、異なるキャリア上で送られ得、制御情報（たとえば、基準信号、制御チャネルなど）、オーバーヘッド情報、データなどを搬送し得る。
【００５６】
[0067]基地局１０５は、１つまたは複数の基地局アンテナを介してワイヤレスデバイス１１５とワイヤレス通信し得る。基地局１０５サイトの各々は、それぞれの地理的エリア１１０に通信カバレージを与え得る。いくつかの実施形態では、基地局１０５は、基地トランシーバ局、無線基地局、アクセスポイント、無線トランシーバ、基本サービスセット（ＢＳＳ）、拡張サービスセット（ＥＳＳ）、ノードＢ、ｅノードＢ（ｅＮＢ）、ホームノードＢ、ホームｅノードＢ、または何らかの他の好適な用語で呼ばれることがある。基地局のためのカバレージエリア１１０は、カバレージエリアの一部分のみを構成するセクタ（図示せず）に分割され得る。システム１００は、異なるタイプの基地局１０５（たとえば、マクロ基地局、ミクロ基地局、ピコ基地局、および／またはフェムト基地局）を含み得る。異なる技術のための重複するカバレージエリアがあり得る。
【００５７】
[0068]いくつかの実施形態では、システム１００はＬＴＥ／ＬＴＥ−Ａネットワークである。ＬＴＥ／ＬＴＥ−Ａネットワークでは、発展型ノードＢまたはｅノードＢ（ｅＮＢ）およびユーザ機器（ＵＥ）という用語は、概して、それぞれ基地局１０５およびワイヤレスデバイス１１５について説明するために使用され得る。システム１００は、異なるタイプのｅＮＢが様々な地理的領域にカバレージを与える、異種ＬＴＥ／ＬＴＥ−Ａネットワークであり得る。たとえば、各ｅＮＢ１０５は、マクロセル、ピコセル、フェムトセル、および／または他のタイプのセルに通信カバレージを与え得る。マクロセルは、概して、比較的大きい地理的エリア（たとえば、半径数キロメートル）をカバーし、ネットワークプロバイダのサービスに加入しているＵＥによる無制限アクセスを可能にし得る。ピコセルは、概して、比較的小さい地理的エリアをカバーするはずであり、ネットワークプロバイダのサービスに加入しているＵＥによる無制限アクセスを可能にし得る。また、フェムトセルは、概して、比較的小さい地理的エリア（たとえば、家）をカバーするはずであり、無制限アクセスに加えて、フェムトセルとの関連を有するＵＥ（たとえば、限定加入者グループ（ＣＳＧ：closed subscriber group）中のＵＥ、家庭内のユーザのためのＵＥなど）による制限付きアクセスをも提供し得る。マクロセル用のｅＮＢはマクロｅＮＢと呼ばれることがある。ピコセル用のｅＮＢはピコｅＮＢと呼ばれることがある。また、フェムトセル用のｅＮＢはフェムトｅＮＢまたはホームｅＮＢと呼ばれることがある。ｅＮＢは、１つまたは複数の（たとえば、２つ、３つ、４つなどの）セルをサポートし得る。
【００５８】
[0069]コアネットワーク１３０は、バックホール１３２（たとえば、Ｓ１など）を介してｅＮＢ１０５と通信し得る。ｅＮＢ１０５はまた、たとえば、バックホールリンク１３４（たとえば、Ｘ２など）を介しておよび／またはバックホールリンク１３２を介して（たとえば、コアネットワーク１３０を通して）、直接または間接的に、互いに通信し得る。ワイヤレスネットワーク１００は、同期動作または非同期動作をサポートし得る。同期動作の場合、ｅＮＢは同様のフレームタイミングを有し得、異なるｅＮＢからの送信は近似的に時間的に整合され得る。非同期動作の場合、ｅＮＢは異なるフレームタイミングを有し得、異なるｅＮＢからの送信は時間的に整合されないことがある。本明細書で説明する技法は、同期動作または非同期動作のいずれかに使用され得る。
【００５９】
[0070]ワイヤレスデバイス１１５はワイヤレスネットワーク１００全体にわたって分散され、各ワイヤレスデバイスは固定またはモバイルであり得る。ワイヤレスデバイス１１５はまた、当業者によって、ＵＥ、移動局、加入者局、モバイルユニット、加入者ユニット、ワイヤレスユニット、リモートユニット、モバイルデバイス、ワイヤレス通信デバイス、リモートデバイス、モバイル加入者局、アクセス端末、モバイル端末、ワイヤレス端末、リモート端末、ハンドセット、ユーザエージェント、モバイルクライアント、クライアント、または何らかの他の好適な用語で呼ばれることがある。ワイヤレスデバイス１１５は、セルラーフォン、携帯情報端末（ＰＤＡ）、ワイヤレスモデム、ワイヤレス通信デバイス、ハンドヘルドデバイス、タブレットコンピュータ、ラップトップコンピュータ、コードレスフォン、ワイヤレスローカルループ（ＷＬＬ）局、ＭＴＣデバイスなどであり得る。ワイヤレスデバイスは、マクロｅＮＢ、ピコｅＮＢ、フェムトｅＮＢ、リレーなどと通信することが可能であり得る。
【００６０】
[0071]ネットワーク１００中に示された送信リンク１２５は、ワイヤレスデバイス１１５から基地局１０５へのアップリンク（ＵＬ）送信、および／または基地局１０５からモバイルデバイス１１５へのダウンリンク（ＤＬ）送信を含み得る。ダウンリンク送信は順方向リンク送信と呼ばれることもあり、一方、アップリンク送信は逆方向リンク送信と呼ばれることもある。
【００６１】
[0072]ワイヤレスデバイス１１５のいくつかは、人の介在が制限されるかまたは人の介在なしに、様々な機能を実施し、情報を取り込み、および／または情報を通信する、マシンタイプ通信（ＭＴＣ）デバイス１１５であり得る。たとえば、ＭＴＣデバイス１１５は、他のデバイス、環境条件などをモニタおよび／または追跡するためのセンサおよび／またはメータを含み得る。ＭＴＣデバイス１１５はスタンドアロンデバイスであり得、または、実施形態では、ＭＴＣデバイス１１５は、他のデバイスに組み込まれるモジュールであり得る。たとえば、スマートフォン、セルラーフォンおよびワイヤレス通信デバイス、携帯情報端末（ＰＤＡ）、タブレット、他のハンドヘルドデバイス、ネットブック、ウルトラブック、スマートブック、ノートブックコンピュータ、監視カメラ、ハンドヘルド医療用走査デバイス、家庭用電気器具などのデバイス（たとえば、ユーザ機器、移動局など）が、１つまたは複数のＭＴＣデバイスモジュール１１５を含み得る。次の説明では、ネットワークと１つまたは複数のＭＴＣデバイスとを含むシステムのための通信および処理に適用されるものとして、様々な技法について説明する。説明する技法は、ＭＴＣデバイスおよび／または他のワイヤレスデバイスを組み込んだものなどの他のデバイスに有利に適用され得ることを理解されたい。たとえば、ワイヤレスデバイス１１５は、長いスリープサイクルを有し得るＵＥおよび／または超低電力ＭＴＣデバイスを含むＭＴＣデバイスであり得る。いくつかの態様では、ワイヤレスデバイス１１５は、遅延耐性デバイスであるか、または遅延耐性デバイスを含み得る。
【００６２】
[0073]ＭＴＣワイヤレスデバイス１１５によって収集された情報は、システム１００の構成要素を含むネットワーク上で、サーバなどのバックエンドシステムに送信され得る。ＭＴＣデバイス１１５への／からのデータの送信は、基地局１０５を通してルーティングされ得る。基地局１０５は、ＭＴＣデバイス１１５にシグナリングおよび／または情報を送信するための順方向リンク上で、ならびにＭＴＣデバイス１１５からシグナリングおよび／または情報を受信するための逆方向リンク上で、ＭＴＣデバイス１１５と通信し得る。
【００６３】
[0074]一例では、ネットワークコントローラ１２０は、基地局のセットに結合され、これらの基地局１０５の調整および制御を行い得る。コントローラ１２０は、バックホール（たとえば、コアネットワーク１３０）を介して基地局１０５と通信し得る。基地局１０５はまた、直接的もしくは間接的におよび／またはワイヤレスバックホールもしくはワイヤラインバックホールを介して互いに通信し得る。
【００６４】
[0075]ワイヤレスデバイス１１５、基地局１０５、コアネットワーク１３０、および／またはコントローラ１２０など、システム１００の異なる態様は、ＲＲＣ＿ＣＯＮＮＥＣＴＥＤ状態における、ディープスリープサイクルを用いた異なるワイヤレスデバイス１１５の送信過負荷制御および／または監視のために構成され得る。場合によっては、ワイヤレスデバイス１１５は超低電力ＭＴＣデバイスを含み得る。たとえば、ワイヤレスデバイス１１５の態様は、アップリンクチャネルのための送信サイクルを識別するために構成され得る。送信サイクルは不連続であり得る。ワイヤレスデバイス１１５は、識別された送信サイクルに従って、ＳＲおよび／またはＲＡＣＨメッセージ、および／または他の信号もしくはデータを送信し得る。場合によっては、１つまたは複数のｅＮＢ１０５は、１つまたは複数の送信サイクルを確定し、ワイヤレスデバイス１１５にそれをブロードキャストするか、あるいは他の方法で送るように構成され得る。システム１００の態様は、プルーニングを回避するために設定された間隔でワイヤレスデバイス１１５がｅＮＢ１０５にキープアライブメッセージを送ることを含み得る、ワイヤレスデバイス１１５の監視を含み得る。場合によっては、ｅＮＢ１０５は、プルーニングを回避するために、ワイヤレスデバイス１１５がそれに応答し得る接続されたデバイスのリストをブロードキャストするように構成され得る。
【００６５】
[0076]図２は、様々な実施形態による、ＬＴＥ／ＬＴＥアドバンストネットワークを介してマシンタイプ通信サービスを実施するワイヤレス通信システム２００の一例を示す。システム２００は、システム１００の態様の一例であり得る。システム２００は、ＳＲおよび／またはＲＡＣＨについて不連続送信サイクル中に、あるいはすべてのアップリンク信号について不連続送信（ＤＴＸ）サイクル中に低デューティサイクルＭＴＣデバイスを維持するように実装され得る。この送信サイクルは、ｅＮＢが任意の時間に限られた数のＲＲＣ＿ＣＯＮＮＥＣＴＥＤデバイスのみをスケジュールし得るようにスタッガされ得る。システム２００は、いくつかのワイヤレスデバイス１１５−ａおよび１１５−ｂと、ｅＮＢ１０５−ａとを含み得る。ｅＮＢ１０５−ａは、図１に示された基地局の一例であり得る。ワイヤレスデバイス１１５−ａは、図１に示されたワイヤレスデバイス１１５の例であり得る。ｅＮＢ１０５−ａは、ワイヤレスデバイス１１５−ａおよび１１５−ｂのための送信サイクルを決定し、２１０において、それらの送信サイクルに関する情報を送信し得る。ワイヤレスデバイス１１５−ａおよび１１５−ｂは、アップリンクチャネルについて送信サイクルを識別し得、ワイヤレスデバイス１１５−ａおよび１１５−ｂは、送信サイクルに関してオフサイクルを識別し得る。ワイヤレスデバイス１１５−ａのための送信サイクルは、ワイヤレスデバイス１１５−ｂのための送信サイクルとは異なり得、一方または両方のサイクルが不連続であり得る。ワイヤレスデバイス１１５−ａおよび１１５−ｂは、識別された送信サイクルに従って送信し得、ワイヤレスデバイス１１５−ａおよび１１５−ｂは、オフサイクル中に送信するのを控え得る。図２に示されたワイヤレスデバイス１１５−ａ、ｅＮＢ１０５−ａ、および通信２１０の量は例示のためにすぎず、限定するものとして解釈されるべきでないことを、当業者なら理解されよう。ワイヤレスデバイス１１５−ａは遅延耐性デバイスであり得る。いくつかの実施形態では、ワイヤレスデバイス１１５−ａは、長いスリープサイクルをもつＵＥおよび／またはＭＴＣデバイスを含み得る。
【００６６】
[0077]ワイヤレス通信システム２００は、１つまたは複数のＭＴＣデバイス１１５−ａおよび／または１つまたは複数のｅＮＢ１０５−ａ間のマシンタイプ通信を容易にするように動作可能であり得る。マシンタイプ通信は、人の介在がない１つまたは複数のデバイス間の通信を含み得る。一例では、マシンタイプ通信は、ユーザ介在がない、ワイヤレスデバイス１１５−ａなどのリモートマシンと、バックエンドＩＴインフラストラクチャとの間のデータの自動交換を含み得る。ワイヤレスデバイス１１５−ａからサーバ、別のワイヤレスデバイス１１５−ｂ、またはｅＮＢ１０５−ａへのデータの転送は、逆方向リンク通信を使用して実施され得る。ワイヤレスデバイス１１５−ａまたは１１５−ｂによって収集されたデータ（たとえば、モニタリングデータ、センサデータ、メータデータなど）は、逆方向リンク通信上で転送され得る。ワイヤレスデバイス１１５−ａおよび１１５−ｂは、ワイヤレスデバイス１１５−ａが１サイクルに従って送信し、その間にワイヤレスデバイス１１５−ｂが送信しないように、スタッガード送信サイクル上にあり得る。同様に、ワイヤレスデバイス１１５−ｂは別個のサイクルに従って送信し得、その間にワイヤレスデバイス１１５−ａは送信しない。このようにして、ワイヤレスデバイス１１５−ａおよび１１５−ｂの各々はＲＲＣ＿ＣＯＮＮＥＣＴＥＤ状態のままであり得るが、所与の時間において送信し得るＭＴＣデバイスの数が限られ得るので、ｅＮＢ１０５−ａは、リソースを効果的にスケジュールし、ＲＡＣＨプロセスを協調させることが可能であり得る。
【００６７】
[0078]ｅＮＢ１０５−ａを介したワイヤレスデバイス１１５−ａまたは１１５−ｂへのデータの転送は、順方向リンク（たとえば、ダウンリンク）通信を介して実施され得る。順方向リンクは、ワイヤレスデバイス１１５−ａまたは１１５−ｂに命令、ソフトウェア／ファームウェア更新、および／またはメッセージを送るために使用され得る。これらの命令は、機器、環境条件などをリモートでモニタするようにワイヤレスデバイス１１５−ａまたは１１５−ｂに命令し得る。マシンタイプ通信（ＭＴＣ）は、限定はしないが、リモートモニタリング、測定および状態記録、フリート管理およびアセット追跡、インフィールド（in-field）データ収集、配信、物理的アクセス制御、および／または記憶など、様々な適用例とともに使用され得る。ｅＮＢ１０５−ａは、命令、ソフトウェア／ファームウェア更新、および／またはメッセージを送信するために、少数のチャネルをもつ１つまたは複数の順方向リンクフレームを生成し得る。様々なワイヤレスデバイス１１５−ａおよび／または１１５−ｂはＤＲＸサイクルに従って動作し得、それらのデバイスは、命令または他のデータが特定のフレームのチャネル上に含まれるとき、そのフレームをモニタするためにウェイクアップ（たとえば、パワーオン）し得る。いくつかの実施形態では、ワイヤレスデバイス１１５−ａおよび／または１１５−ｂの態様は、ワイヤレスデバイス１１５−ａおよび／または１１５−ｂがＤＲＸ  ＯＦＦ期間中に受信するのを控えることを可能にし得るＤＲＸサイクルマスクに従って送信し得る。
【００６８】
[0079]いくつかの実施形態では、ワイヤレスデバイス１１５−ａおよび／または１１５−ｂの挙動があらかじめ定義され得る。たとえば、別のデバイスをモニタし、収集された情報を送信すべき日、時間などが、ワイヤレスデバイス１１５−ａについてあらかじめ定義され得る。いくつかの実施形態では、ワイヤレスデバイス１１５−ａ−１は、ＭＴＣデバイスであり得、第１のあらかじめ定義された時間期間において別のデバイスをモニタし始め、その別のデバイスに関する情報を収集するようにプログラムされ得る。ワイヤレスデバイス１１５−ａ−１はまた、第２のあらかじめ定義された時間期間において、収集された情報を送信するようにプログラムされ得る。決定される送信サイクルは、あらかじめ定義されたモニタリング時間を考慮し得るか、またはそれに基づき得る。
【００６９】
[0080]次に図３Ａ、図３Ｂ、および図３Ｃを参照すると、ブロック図は、様々な実施形態による、ワイヤレスデバイスの送信過負荷制御のためのデバイス３００−ａ、３００−ｂ、および／または３００−ｃを示す。デバイス３００−ａ、３００−ｂ、および／または３００−ｃは、図１および図２を参照しながら説明した基地局１０５および／またはワイヤレスデバイス１１５の１つまたは複数の態様の例であり得る。ワイヤレスデバイス１１５は、たとえば、遅延耐性デバイスであり得る。いくつかの実施形態では、ワイヤレスデバイス１１５は、長いスリープサイクルをもつＵＥおよび／またはＭＴＣデバイスであり得る。デバイス３００−ａ、３００−ｂ、および／または３００−ｃはまた、プロセッサであり得る。デバイス３００−ａは、受信機モジュール３０５、送信過負荷制御モジュール３１０、および／または送信機モジュール３１５を含み得る。デバイス３００−ｂは、受信機モジュール３０５、送信過負荷制御モジュール３１０−ａ、および／または送信機モジュール３１５を含み得る。デバイス３００−ｃは、受信機モジュール３０５、送信過負荷制御モジュール３１０−ｂ、および／または送信機モジュール３１５を含み得る。これらの構成要素の各々は互いに通信中であり得る。各デバイスの構成要素の各々は、そのデバイスの他の構成要素と通信中であり得る。
【００７０】
[0081]デバイス３００−ａ、３００−ｂ、および／または３００−ｃのこれらの構成要素は、個別にまたは集合的に、ハードウェアにおいて適用可能な機能の一部または全部を実施するように適応された１つまたは複数の特定用途向け集積回路（ＡＳＩＣ）を用いて実装され得る。代替的に、それらの機能は、１つまたは複数の他の処理ユニット（またはコア）によって、１つまたは複数の集積回路上で実施され得る。他の実施形態では、当技術分野で知られている任意の方法でプログラムされ得る、他のタイプの集積回路（たとえば、ストラクチャード／プラットフォームＡＳＩＣ、フィールドプログラマブルゲートアレイ（ＦＰＧＡ）、および他のセミカスタムＩＣ）が使用され得る。各ユニットの機能はまた、全体的にまたは部分的に、１つまたは複数の汎用または特定用途向けプロセッサによって実行されるようにフォーマットされた、メモリまたは他の非一時的コンピュータ可読媒体中に組み込まれた命令を用いて実装され得る。
【００７１】
[0082]図３Ａ、図３Ｂ、および図３Ｃの受信機モジュール３０５は、デバイス３００−ａが受信または送信したものに関する、送信サイクルに関係する情報を含む、パケット、データ、および／またはシグナリング情報などの情報を受信し得る。受信された情報は、様々な目的のために送信過負荷制御モジュール３１０によって利用され得る。たとえば、受信された情報は、ワイヤレスデバイス１１５によって送信サイクル決定のために利用され得る。
【００７２】
[0083]受信機モジュール３０５は、逆方向リンク通信を使用してワイヤレスデバイス１１５から送られた逆方向リンク（たとえば、アップリンク）物理レイヤパケットを受信するように構成され得る。受信機モジュール３０５はまた、ｅＮＢ１０５から命令、送信サイクル情報、演算のセット、メッセージなどを受信するように構成され得る。
【００７３】
[0084]送信過負荷制御モジュール３１０は、送信サイクルを決定し、指定された送信期間中に送信を開始し得る。図３Ｂおよび図３Ｃに示された、デバイス３００−ｂおよび３００−ｃの送信過負荷制御モジュール３１０−ａおよび３１０−ｂは、送信過負荷制御モジュール３１０の態様の例であり得る。いくつかの例では、モジュール３１０−ａおよび３１０−ｂは、送信過負荷制御モジュール３１０のサブモジュールを含む。図３Ｂに示された送信過負荷制御モジュール３１０−ａは、送信サイクル識別モジュール３１１と、ＳＲ／ＲＡＣＨ送信モジュール３１２とを含み得る。いくつかの実施形態では、送信サイクル識別モジュール３１１は、指定された送信サイクル、ＤＴＸ、および／またはＤＲＸに関してｅＮＢ１０５からの情報を処理および／または識別し得る。いくつかの実施形態では、ＳＲ／ＲＡＣＨ送信モジュール３１２は、識別された送信サイクルまたはＤＴＸに従ってＳＲ、ＲＡＣＨメッセージ、および／または他のアップリンク送信の送信を開始し得る。追加または代替として、ＳＲ／送信モジュール３１２は、ＳＲおよび／またはＲＡＣＨメッセージを送信するのをデバイス３００−ｂに控えさせ得る。図３Ｃに示された送信過負荷制御モジュール３１０−ｂは、送信サイクル決定モジュール３１３と、送信サイクル送信モジュール３１４とを含み得る。いくつかの実施形態では、送信サイクル決定モジュール３１３は、１つまたは複数のワイヤレスデバイス１１５のための送信サイクルおよび／またはオフサイクルを決定および／または確定し得る。いくつかの実施形態では、送信サイクル送信モジュール３１４は、決定された送信サイクルおよび／またはオフサイクルを１つまたは複数のワイヤレスデバイス１１５に通信することを開始または容易にし得る。
【００７４】
[0085]いくつかの実施形態では、送信機モジュール３１５は、識別された送信サイクルに従ってＳＲ、ＲＡＣＨメッセージ、および／または他のアップリンク送信を送信し得る。いくつかの実施形態では、送信機モジュール３１５は、たとえば、１つまたは複数のワイヤレスデバイス１１５に、送信サイクルを含むダウンリンク送信を送信し得る。
【００７５】
[0086]図４Ａおよび図４Ｂは、様々な実施形態による、マシンタイプ通信監視プロシージャを実装するシステム４００−ａおよび４００−ｂの例を示す。システム４００−ａおよび４００−ｂは、図１のシステム１００の態様の例であり得る。ワイヤレスデバイスとｅＮＢとの間の低頻度の通信に関連して起こり得る問題は、ワイヤレスデバイスがタイマーを実行する場合に潜在的に回避され得る。そのようなタイマーは、ワイヤレスデバイスとｅＮＢとの間の各ハンドシェイク後にリセットされ得る。タイマーは、たとえば、ＭＴＣデバイスであり得るワイヤレスデバイス１１５の一態様であり得る。タイマーが満了したとき、ワイヤレスデバイスはキープアライブハンドシェイクを開始し得る。そのようなプロシージャは、ワイヤレスデバイスの監視のため、またはｅＮＢサイド監視のために使用され得る。システム４００−ａは、ワイヤレスデバイス１１５−ｃ−１と、ｅＮＢ１０５−ｂ−１とを含み得る。ｅＮＢ１０５−ｂ−１は、図１に示された基地局の一例であり得る。ワイヤレスデバイス１１５−ｃ−１は、図１に示されたワイヤレスデバイス１１５の例であり得る。ワイヤレスデバイス１１５−ｃ−１とｅＮＢ１０５−ｂ−１との間のハンドシェイク後にワイヤレスデバイス１１５−ｃ−１においてタイマーが開始され得る。タイマーはワイヤレスデバイス１１５−ｃ−１によって開始され得る。ワイヤレスデバイス１１５−ｃ−１は、タイマーの満了時にｅＮＢ１０５−ｂ−１にキープアライブハンドシェイク開始メッセージ４１０を送信し得る。キープアライブハンドシェイク開始メッセージ４１０はＲＡＣＨメッセージであり得る。代替的に、キープアライブハンドシェイク開始メッセージ４１０はＳＲを含み得る。キープアライブハンドシェイク開始メッセージ４１０に応答して、ｅＮＢ１０５−ｂ−１は応答４１５を送信し得る。応答４１５はＲＡＣＨメッセージまたはＵＬ許可であり得る。ワイヤレスデバイス１１５−ｃ−１は返答４２０を送信し得る。返答４２０はクロージングメッセージであり得る。返答４２０は、クロージングメッセージとともにＲＡＣＨメッセージまたはペイロードを含み得る。いくつかの実施形態では、ワイヤレスデバイス１１５−ｃ−１は、超低電力ＭＴＣデバイスを含む、長いスリープサイクルを有し得るＵＥおよび／またはＭＴＣデバイスであり得る。場合によっては、ワイヤレスデバイス１１５−ｃ−１は遅延耐性デバイスを伴い得る。
【００７６】
[0087]システム４００−ｂは、ＭＴＣデバイス１１５−ｃ−２と、ｅＮＢ１０５−ｂ−２とを含み得る。ｅＮＢ１０５−ｂ−２は、図４Ａに示された基地局１０５−ｂ−１の一例であり得る。ＭＴＣデバイス１１５−ｃ−２は、図４Ａに示されたワイヤレスデバイス１１５−ｃ−１の一例であり得る。ＭＴＣデバイス１１５−ｃ−２はタイマーを開始し得る。４０５においてタイマーが満了したとき、ＭＴＣデバイス１１５−ｃ−２はキープアライブハンドシェイク開始メッセージ４１０−ａを送信し得る。応答して、ｅＮＢ１０５−ｂ−２は応答メッセージ４１５−ａを送信し得る。返答として、ＭＴＣデバイス１１５−ｃ−２はクロージングメッセージ４２０−ａを送信し得る。ＭＴＣデバイスに関して説明したが、デバイス１１５−ｃ−２は、いくつかの実施形態では、長いスリープサイクルを有するＵＥであり得る。デバイス１１５−ｃ−２は超低電力ＭＴＣであり得る。いくつかの態様では、デバイス１１５−ｃ−２は、それが信号を送信または受信することなしに拡張された時間期間の間動作することが可能であり得るように、遅延耐性の特徴を含み得る。
【００７７】
[0088]図５Ａおよび図５Ｂは、様々な実施形態による、ワイヤレスデバイス監視プロシージャを実装するワイヤレス通信システム５００−ａおよび５００−ｂの例を示す。システム５００−ａおよび５００−ｂは、図１のシステム１００の態様の例であり得る。ｅＮＢは、たとえば、どのデバイスが実際に接続され得るのかと、どれがプルーニングの候補であり得るのかとを確認するために、ＣＯＮＮＥＣＴＥＤリスト上のすべてのワイヤレスデバイスに送信し得る。ワイヤレスデバイスは、それらがＣＯＮＮＥＣＴＥＤリスト上にあるべきかどうかを示す応答を送信し得る。システム５００−ａは、ワイヤレスデバイス１１５−ｄおよび１１５−ｅと、ｅＮＢ１０５−ｃ−１とを含み得る。ｅＮＢ１０５−ｃ−１は、図１に示された基地局の一例であり得る。ワイヤレスデバイス１１５−ｄおよび１１５−ｅは、図１に示されたワイヤレスデバイス１１５の例であり得る。ｅＮＢ１０５−ｃ−１は、ワイヤレスデバイス１１５−ｄおよび／または１１５−ｅを含み得る、接続されたデバイスのリストを決定し得る。ｅＮＢ１０５−ｃ−１は、５１０において、接続されたデバイスのリストを含むかまたはそのリストに対応する１つまたは複数のメッセージをブロードキャストし得る。ワイヤレスデバイス１１５−ｄおよび／または１１５−ｅは、接続されたデバイスのリストを含むブロードキャスト５１０を受信し得る。ワイヤレスデバイス１１５−ｄおよび／または１１５−ｅは、接続されたデバイスのリスト上にそれらがあるかどうかを決定し得る。接続されたデバイスのリスト上にワイヤレスデバイス１１５−ｄおよび／または１１５−ｅがあるかどうかは、ワイヤレスデバイス１１５−ｄおよび／または１１５−ｅが、指定された時間期間内にキープアライブハンドシェイク開始メッセージを送信しているかどうか、またはｅＮＢ１０５−ｃ−１とのハンドシェイクに関与しているかどうかに応じて変わり得る。ワイヤレスデバイス１１５−ｄおよび／または１１５−ｅは、接続されたデバイスのリスト上にワイヤレスデバイス１１５−ｄおよび／または１１５−ｅがないが、ワイヤレスデバイス１１５−ｄおよび１１５−ｅがｅＮＢ１０５−ｃ−１に接続されており、リスト上にあるべきであることを示すメッセージ５２０を送信し得る。ｅＮＢ１０５−ｃ−１は、ワイヤレスデバイス１１５−ｄおよび／または１１５−ｅから、それらのデバイスが、接続されたデバイスのリスト上にないが、リスト上にあるべきである、というメッセージ５２０を受信し得る。いくつかの実施形態では、ワイヤレスデバイス１１５−ｄおよび／または１１５−ｅは、長いスリープサイクルを有し得るＵＥであり得る。いくつかの実施形態では、ワイヤレスデバイス１１５−ｄおよび／または１１５−ｅは、超低電力ＭＴＣデバイスを含む、ＭＴＣデバイスであり得る。場合によっては、ワイヤレスデバイス１１５−ｄおよび／または１１５−ｅは、遅延耐性デバイスであるかまたは遅延耐性デバイスを伴い得る。
【００７８】
[0089]システム５００−ｂは、ＭＴＣデバイス１１５−ｅ−３と、ｅＮＢ１０５−ｃ−２とを含み得る。ｅＮＢ１０５−ｃ−２は、図５Ａに示された基地局１０５−ｃ−１の一例であり得る。ＭＴＣデバイス１１５−ｅ−３は、ｅＮＢ１０５−ｃ−２に接続された、図５Ａに示されたワイヤレスデバイス１１５の一例であり得る。ｅＮＢ１０５−ｃ−２は、５０５において、接続されたデバイスのリストを決定し得る。ｅＮＢ１０５−ｃ−２は、５１０−ａにおいて、接続されたデバイスのリストをブロードキャストし得る。ブロードキャスト５１０−ａは、各メッセージが、接続されたデバイスのリストからのデバイスのサブセットを含むように、ＤＲＸサイクルに基づいて２つ以上のメッセージを送信することを含み得る。ＭＴＣデバイス１１５−ｅ−３は、ブロードキャスト５１０−ａを受信し、および／または、５１２において、接続されたデバイスのリスト上にＭＴＣデバイス１１５−ｅ−３がないと決定し得る。ＭＴＣデバイス１１５−ｅ−３は、接続されたデバイスのリスト上にＭＴＣデバイス１１５−ｅ−３があるべきであるという応答メッセージ５２０−ａをｅＮＢ１０５−ｃ−２に送信し得る。ＭＴＣデバイスに関して説明したが、デバイス１１５−ｅ−３は、いくつかの実施形態では、長いスリープサイクルを有し得るＵＥであり得る。デバイス１１５−ｅ−３は超低電力ＭＴＣであり得る。いくつかの態様では、デバイス１１５−ｅ−３は、それが信号を送信または受信することなしに拡張された時間期間の間動作することが可能であり得るように、遅延耐性の特徴を含み得る。
【００７９】
[0090]次に図６Ａ、図６Ｂ、および図６Ｃを参照すると、ブロック図は、様々な実施形態による、ワイヤレスデバイスの監視のためのデバイス６００−ａ、６００−ｂ、および／または６００−ｃを示す。デバイス６００−ａ、６００−ｂ、および／または６００−ｃは、図１、図２、図４Ａ、図４Ｂ、図５Ａ、および図５Ｂを参照しながら説明した基地局１０５および／またはワイヤレスデバイス１１５の１つまたは複数の態様の例であり得る。デバイス６００−ａ、６００−ｂ、および／または６００−ｃはまた、プロセッサであり得る。デバイス６００−ａは、受信機モジュール６０５、監視モジュール６１０、および／または送信機モジュール６１５を含み得る。デバイス６００−ｂは、受信機モジュール６０５、監視モジュール６１０−ａ、およびまたは送信機モジュール６１５を含み得る。デバイス６００−ｃは、受信機モジュール６０５、監視モジュール６１０−ｂ、および／または送信機モジュール６１５を含み得る。各デバイスの構成要素の各々は、そのデバイスの他の構成要素と通信中であり得る。
【００８０】
[0091]デバイス６００−ａ、６００−ｂ、および／または６００−ｃのこれらの構成要素は、個別にまたは集合的に、ハードウェアにおいて適用可能な機能の一部または全部を実施するように適応された１つまたは複数の特定用途向け集積回路（ＡＳＩＣ）を用いて実装され得る。代替的に、それらの機能は、１つまたは複数の他の処理ユニット（またはコア）によって、１つまたは複数の集積回路上で実施され得る。他の実施形態では、当技術分野で知られている任意の方法でプログラムされ得る、他のタイプの集積回路（たとえば、ストラクチャード／プラットフォームＡＳＩＣ、フィールドプログラマブルゲートアレイ（ＦＰＧＡ）、および他のセミカスタムＩＣ）が使用され得る。各ユニットの機能はまた、全体的にまたは部分的に、１つまたは複数の汎用または特定用途向けプロセッサによって実行されるようにフォーマットされた、メモリまたは他の非一時的コンピュータ可読媒体中に組み込まれた命令を用いて実装され得る。
【００８１】
[0092]図６Ａ、図６Ｂ、および／または図６Ｃの受信機モジュール６０５は、デバイス６００−ａが受信または送信したものに関する、送信サイクルに関係する情報を含む、パケット、データ、および／またはシグナリング情報などの情報を受信し得る。受信された情報は、様々な目的のために監視モジュール６１０によって利用され得る。たとえば、受信された情報は、ｅＮＢ１０５によって送信サイクル決定のために利用され得る。
【００８２】
[0093]受信機モジュール６０５は、逆方向リンク通信を使用してワイヤレスデバイス１１５から送られた逆方向リンク（たとえば、アップリンク）物理レイヤパケットを受信するように構成され得る。受信機モジュール６０５はまた、ワイヤレスデバイス１１５またはｅＮＢ１０５から命令、送信サイクル情報、演算のセット、メッセージなどを受信するように構成され得る。
【００８３】
[0094]監視モジュール６１０は、タイマーおよび／またはキープアライブメッセージを開始し得る。監視モジュール６１０は、ｅＮＢ１０５からのメッセージをリッスンし、それを処理し、および／またはそれに返答することを容易にし得る。監視モジュール６１０は、接続されたデバイスのリストを決定し、ブロードキャスト送信を開始し得る。監視モジュール６１０は、接続されたデバイスのリストからのワイヤレスデバイス１１５のプルーニングを容易にし得る。監視モジュール６１０は、ＭＴＣデバイス１１５からのメッセージをリッスンし、それを処理し、および／またはそれに返答することを容易にし得る。図６Ｂおよび図６Ｃにそれぞれ示された、デバイス６００−ｂおよび６００−ｃの監視モジュール６１０−ａおよび６１０−ｂは、監視モジュール６１０の態様の例であり得る。いくつかの例では、モジュール６１０−ａおよび６１０−ｂは監視モジュール６１０のサブモジュールを含む。
【００８４】
[0095]監視モジュール６１０−ａは、タイマーモジュール６１１と、応答メッセージモジュール６１２とを含み得る。タイマーモジュール６１１は、ＭＴＣデバイス１１５とｅＮＢ１０５との間のハンドシェイク後にタイマーを開始し得る。タイマーモジュール６１１は、ワイヤレスデバイス１１５とｅＮＢ１０５との間のハンドシェイク後にタイマーをリセットし得る。応答メッセージモジュール６１２は、キープアライブハンドシェイク開始メッセージの送信を容易にし得る。応答メッセージモジュール６１２は、ＳＲおよび／またはＲＡＣＨメッセージの送信を容易にし得る。監視モジュール６１０−ｂは、接続リスト決定モジュール６１３と、ブロードキャストモジュール６１４とを含み得る。接続リスト決定モジュール６１３は、ｅＮＢ１０５に接続されたワイヤレスデバイス１１５のリストを決定し得る。ブロードキャストモジュール６１４は、ｅＮＢ１０５に接続されたワイヤレスデバイス１１５のリストを含み得る１つまたは複数のメッセージのブロードキャスティングを容易にし得る。接続リスト決定モジュール６１３は、ワイヤレスデバイス１１５の接続ステータスに関するワイヤレスデバイス１１５からの応答メッセージを処理することを容易にし得る。
【００８５】
[0096]送信機モジュール６１５は、識別および／または決定された送信、ＤＴＸ、および／またはＤＲＸサイクルに従って、ＳＲ、ＲＡＣＨメッセージ、および／または他のアップリンクおよびまたはダウンリンク送信を送信し得る。
【００８６】
[0097]図７は、ワイヤレスデバイス１１５の送信過負荷制御および／または監視のために構成され得る通信システム７００のブロック図を示す。このシステム７００は、図１に示されたシステム１００、図２のシステム２００、図３Ａのデバイス３００−ａ、図４Ａのシステム４００−ａ、図５Ａのシステム５００−ａ、およびまたは図６Ａのデバイス６００−ａの態様の一例であり得る。システム７００は基地局１０５−ｄを含み得る。基地局１０５−ｄは、アンテナ７４５と、トランシーバモジュール７５０と、メモリ７８０と、プロセッサモジュール７７０とを含み得、その各々は、（たとえば、１つまたは複数のバスを介して）互いに直接または間接的に通信中であり得る。トランシーバモジュール７５０は、アンテナ７４５を介して、ワイヤレスデバイス１１５−ｅと双方向に通信するように構成され得る。代替的にまたは追加として、トランシーバモジュール７５０は、長いスリープサイクルを有し得る１つまたは複数のＵＥと通信するように構成され得る。トランシーバモジュール７５０は、超低電力ＭＴＣデバイスであり得るＭＴＣデバイスと通信するように構成され得る。いくつかの態様では、トランシーバモジュール７５０は、信号を送信または受信することなしに拡張された時間期間の間動作することがそれら自体可能であり得る遅延耐性デバイスと通信することが可能であり得る。トランシーバモジュール７５０（および／または基地局１０５−ｄの他の構成要素）はまた、１つまたは複数のネットワークと双方向に通信するように構成され得る。場合によっては、基地局１０５−ｄは、ネットワーク通信モジュール７７５を通してコアネットワーク１３０−ａおよび／またはコントローラ１２０−ａと通信し得る。基地局１０５−ｄは、ｅノードＢ基地局、ホームｅノードＢ基地局、ノードＢ基地局、および／またはホームノードＢ基地局の一例であり得る。コントローラ１２０−ａは、ｅノードＢ基地局となど、場合によっては基地局１０５−ｄに統合され得る。
【００８７】
[0098]基地局１０５−ｄはまた、基地局１０５−ｍおよび基地局１０５−ｎなど、他の基地局１０５と通信し得る。基地局１０５の各々は、異なる無線アクセス技術など、異なるワイヤレス通信技術を使用してワイヤレスデバイス１１５−ｅと通信し得る。基地局１０５−ｄは、送信過負荷制御モジュール３１０−ｃを使用して１つまたは複数のワイヤレスデバイスの送信過負荷制御を実施および／または容易にし得る。基地局１０５−ｄは、監視モジュール６１０−ｃを使用して監視を実施および／または容易にし得る。送信過負荷制御および監視は、送信サイクル、ＤＴＸ、および／またはＤＲＸに従って決定することと、識別することと、送信することと、受信することとを含み得る。場合によっては、基地局１０５−ｄは、基地局通信モジュール７６５を利用して１０５−ｍおよび／または１０５−ｎなどの他の基地局と通信し得る。いくつかの実施形態では、基地局通信モジュール７６５は、基地局１０５のいくつかの間の通信を行うために、ＬＴＥワイヤレス通信技術内のＸ２インターフェースを提供し得る。いくつかの実施形態では、基地局１０５−ｄは、コントローラ１２０−ａおよび／またはコアネットワーク１３０−ａを介して他の基地局と通信し得る。
【００８８】
[0099]メモリ７８０は、ランダムアクセスメモリ（ＲＡＭ）と、読取り専用メモリ（ＲＯＭ）とを含み得る。メモリ７８０はまた、実行されたとき、本明細書で説明する様々な機能（たとえば、送信過負荷制御、監視、キープアライブメッセージング、プルーニングなど）をプロセッサモジュール７７０に実施させるように構成された命令を含んでいるコンピュータ可読、コンピュータ実行可能ソフトウェアコード７８５を記憶し得る。代替的に、ソフトウェアコード７８５は、プロセッサモジュール７７０によって直接的に実行可能でないことがあるが、たとえば、コンパイルされ実行されたとき、本明細書で説明する機能をコンピュータに実施させるように構成され得る。
【００８９】
[0100]プロセッサモジュール７７０は、たとえば、Ｉｎｔｅｌ（登録商標）ＣｏｒｐｏｒａｔｉｏｎまたはＡＭＤ（登録商標）製のものなどの中央処理ユニット（ＣＰＵ）、マイクロコントローラ、特定用途向け集積回路（ＡＳＩＣ）など、インテリジェントハードウェアデバイスを含み得る。プロセッサモジュール７７０は、マイクロフォンを介してオーディオを受信し、そのオーディオを、受信されたオーディオを表す（たとえば、長さ３０ｍｓなどの）パケットに変換し、そのオーディオパケットをトランシーバモジュール７５０に提供し、ユーザが話しているかどうかのインジケーションを提供するように構成された、音声エンコーダ（図示せず）を含み得る。代替的に、エンコーダはパケットのみをトランシーバモジュール７５０に与え、パケット自体の提供または抑制／抑圧が、ユーザが話しているかどうかのインジケーションを与え得る。
【００９０】
[0101]トランシーバモジュール７５０は、パケットを変調し、変調されたパケットを送信のためにアンテナ７４５に与え、アンテナ７４５から受信されたパケットを復調するように構成されたモデムを含み得る。基地局１０５−ｄのいくつかの例は単一のアンテナ７４５を含み得るが、基地局１０５−ｄは、好ましくは、キャリアアグリゲーションをサポートし得る複数のリンクのための複数のアンテナ７４５を含む。たとえば、ワイヤレスデバイス１１５−ｅとのマクロ通信をサポートするために１つまたは複数のリンクが使用され得る。
【００９１】
[0102]図７のアーキテクチャによれば、基地局１０５−ｄは、通信管理モジュール７６０をさらに含み得る。通信管理モジュール７６０は、他の基地局１０５−ｍまたは１０５−ｎとの通信を管理し得る。例として、通信管理モジュール７６０は、バスを介して基地局１０５−ｄの他の構成要素の一部または全部と通信している基地局１０５−ｄの構成要素であり得る。代替的に、通信管理モジュール７６０の機能は、トランシーバモジュール７５０の構成要素として、非一時的コンピュータ可読記憶媒体のコンピュータプログラム製品もしくは態様として、および／またはプロセッサモジュール７７０の１つまたは複数のコントローラ要素として実装され得る。
【００９２】
[0103]基地局１０５−ｄの構成要素は、それぞれ、図３Ａ、図３Ｂ、図３Ｃ、図６Ａ、図６Ｂ、および／または図６Ｃのデバイス３００−ａ、３００−ｂ、３００−ｃ、６００−ａ、６００−ｂ、および／または６００−ｃに関して上記で説明した過負荷制御および監視技法を実装するように構成され得、簡潔のためにここでは繰り返さないことがある。たとえば、送信過負荷制御モジュール３１０−ｃは、それぞれ、図３Ａ、図３Ｂ、および図３Ｃの送信過負荷制御モジュール３１０、３１０−ａ、および／または３１０−ｂと同様の機能を含み得る。別の例として、監視モジュール６１０−ｃは、それぞれ、図６Ａ、図６Ｂ、および図６Ｃの監視モジュール６１０、６１０−ａ、および／または６１０−ｂと同様の機能を含み得る。
【００９３】
[0104]いくつかの実施形態では、トランシーバモジュール７５０は、アンテナ７４５と併せて、基地局１０５−ｄの他の可能な構成要素とともに、送信サイクルに対応する情報またはメッセージを受信または送信し得る。いくつかの実施形態では、トランシーバモジュール７５０は、アンテナ７４５と併せて、基地局１０５−ｄの他の可能な構成要素とともに、接続されたデバイスのリストなど、ワイヤレスデバイス１１５−ｅに、他の基地局１０５−ｍ／１０５−ｎ、またはコアネットワーク１３０−ａに対応する情報またはメッセージを受信または送信し得る。
【００９４】
[0105]図８は、様々な実施形態による、過負荷制御および／または監視のために構成されたワイヤレスデバイス１１５−ｆのブロック図８００である。ワイヤレスデバイス１１５−ｆは、上記で説明した様々なＭＴＣ適用例のためのセンサまたはモニタなど、様々な構成のいずれかを有し得る。ワイヤレスデバイス１１５−ｆは、モバイル動作を容易にするために、小型バッテリーなどの内部電源（図示せず）を有し得る。ワイヤレスデバイス１１５−ｆは、超低電力ＭＴＣデバイスを含む、ＭＴＣデバイスであり得る。いくつかの実施形態では、ワイヤレスデバイス１１５−ｆは、図１、図２、図４Ａ、図４Ｂ、図５Ａ、および／または図５Ｂのワイヤレスデバイス１１５であり得る。ワイヤレスデバイス１１５−ｆは、図３Ａ、図３Ｂ、図３Ｃ、図６Ａ、図６Ｂおよび／または図６Ｂのデバイス３００−ａ、３００−ｂ、３００−ｃ、６００−ａ、６００−ｂ、および／または６００−ｃの態様を含み得る。ＭＴＣデバイスに関して説明したが、デバイス１１５−ｆは、いくつかの実施形態では、長いスリープサイクルを有し得るＵＥであり得る。デバイス１１５−ｆは超低電力ＭＴＣであり得る。いくつかの態様では、デバイス１１５−ｆは、それが信号を送信または受信することなしに拡張された時間期間の間動作することが可能であり得るように、遅延耐性の特徴を含み得る。
【００９５】
[0106]ワイヤレスデバイス１１５−ｆは、送信過負荷制御モジュール３１０−ｄおよび／または監視モジュール６１０−ｄと、センサ８１５と、アンテナ８４５と、トランシーバモジュール８５０と、メモリ８８０と、プロセッサモジュール８７０とを含み得、その各々は、（たとえば、１つまたは複数のバスを介して）互いに直接または間接的に通信中であり得る。トランシーバモジュール８５０は、上記で説明したように、アンテナ８４５および／または１つもしくは複数のワイヤードもしくはワイヤレスリンクを介して、１つまたは複数のネットワークと双方向に通信するように構成され得る。たとえば、トランシーバモジュール８５０は、図１、図２、図４Ａ、および／または図４Ｂの基地局１０５と双方向に通信するように構成され得る。トランシーバモジュール８５０は、パケットを変調し、変調されたパケットを送信のためにアンテナ８４５に与え、アンテナ８４５から受信されたパケットを復調するように構成されたモデムを含み得る。ワイヤレスデバイス１１５−ｆは単一のアンテナ８４５を含み得るが、ワイヤレスデバイス１１５−ｆは、複数の送信リンクのための複数のアンテナ８４５を含み得る。場合によっては、センサ８１５は、メータの一態様であるか、またはワイヤレスデバイス１１５−ｆの他のモニタリング機能を実装し得る。センサ８１５の入力は、たとえば、ワイヤレスデバイス８１５と基地局との他の構成要素を介してサーバ（図示せず）に通信され得る。
【００９６】
[0107]メモリ８８０は、ランダムアクセスメモリ（ＲＡＭ）と、読取り専用メモリ（ＲＯＭ）とを含み得る。メモリ８８０は、実行されたとき、本明細書で説明する様々な機能（たとえば、送信過負荷制御、監視、キープアライブメッセージングなど）をプロセッサモジュール８７０に実施させるように構成された命令を含んでいるコンピュータ可読のコンピュータ実行可能ソフトウェアコード８８５を記憶し得る。代替的に、ソフトウェアコード８８５は、プロセッサモジュール８７０によって直接的に実行可能でないことがあるが、（たとえば、コンパイルされ実行されたとき）本明細書で説明する機能をコンピュータに実施させるように構成され得る。
【００９７】
[0108]プロセッサモジュール８７０は、たとえば、Ｉｎｔｅｌ（登録商標）ＣｏｒｐｏｒａｔｉｏｎまたはＡＭＤ（登録商標）製のものなどの中央処理ユニット（ＣＰＵ）、マイクロコントローラ、特定用途向け集積回路（ＡＳＩＣ）など、インテリジェントハードウェアデバイスを含み得る。
【００９８】
[0109]図８のアーキテクチャによれば、ワイヤレスデバイス１１５−ｆは、通信管理モジュール８６０をさらに含み得る。通信管理モジュール８６０は、基地局１０５および／または他のワイヤレスデバイス１１５との通信を管理し得る。例として、通信管理モジュール８６０は、バスを介してワイヤレスデバイス１１５−ｆの他の構成要素の一部または全部と通信しているワイヤレスデバイス１１５−ｆの構成要素であり得る。代替的に、通信管理モジュール８６０の機能は、トランシーバモジュール８５０の構成要素として、非一時的コンピュータ可読媒体のコンピュータプログラム製品として、および／またはプロセッサモジュール８７０の１つまたは複数のコントローラ要素として実装され得る。
【００９９】
[0110]ワイヤレスデバイス１１５−ｆの構成要素は、それぞれ、図３Ａ、図３Ｂ、および図３Ｃのデバイス３００−ａ、３００−ｂ、または３００−ｃに関して上記で説明した態様を実装するように構成され得、簡潔のためにここでは繰り返さないことがある。たとえば、送信過負荷制御モジュール３１０−ｄは、図３Ａのモジュール３１０と同様の機能を含み得る。それぞれ、図３Ｂおよび図３Ｃの３１０−ａおよび／または３１０−ｂの態様は、送信過負荷制御モジュール３１０−ｄの態様の例であり得る。
【０１００】
[0111]いくつかの実施形態では、トランシーバモジュール８５０は、アンテナ８４５と併せて、ワイヤレスデバイス１１５−ｆの他の可能な構成要素とともに、ワイヤレスデバイス１１５−ｆから基地局またはコアネットワークにＳＲおよび／またはＲＡＣＨメッセージに関する情報を送信し得る。いくつかの実施形態では、トランシーバモジュール８５０は、アンテナ８４５と併せて、ワイヤレスデバイス１１５−ｆの他の可能な構成要素とともに、送信サイクル、オフサイクル、ＤＲＸサイクル、接続リストステータスを含む、ワイヤレスデバイス過負荷制御および監視に関係する情報を、基地局またはコアネットワークに送信し得、それにより、これらのデバイスまたはシステムはフレキシブルな波形を利用し得る。
【０１０１】
[0112]図９は、様々な実施形態による、基地局１０５−ｅとＭＴＣデバイス１１５−ｇとを含むシステム９００のブロック図である。このシステム９００は、図１のシステム１００、図２のシステム２００、図４のシステム４００−ａ、および／または図５のデバイス５００−ａの態様の一例であり得る。基地局１０５−ｅは、アンテナ９３４−ａ〜９３４−ｘを装備し得、ワイヤレスデバイス１１５−ｇは、アンテナ９５２−ａ〜９５２−ｎを装備し得る。基地局１０５−ｅにおいて、送信プロセッサ９２０は、データソースからデータを受信し得る。たとえば、基地局１０５−ｅは、長いスリープサイクルを有し得る１つまたは複数のＵＥと通信し得る。いくつかの実施形態では、基地局１０５−ｅは、超低電力ＭＴＣデバイスであり得るＭＴＣデバイスと通信し得る。いくつかの態様では、基地局１０５−ｅは、信号を送信または受信することなしに拡張された時間期間の間動作することがそれら自体可能であり得る遅延耐性デバイスと通信することが可能であり得る。
【０１０２】
[0113]送信機プロセッサ９２０はデータを処理し得る。送信機プロセッサ９２０はまた、基準シンボルと、セル固有基準信号とを生成し得る。送信（ＴＸ）ＭＩＭＯプロセッサ９３０は、適用可能な場合、データシンボル、制御シンボル、および／または基準シンボルに対して空間処理（たとえば、プリコーディング）を実施し得、出力シンボルストリームを送信変調器９３２−ａ〜９３２−ｘに与え得る。各変調器９３２は、（たとえば、ＯＦＤＭなどのために）それぞれの出力シンボルストリームを処理して、出力サンプルストリームを取得し得る。各変調器９３２は、出力サンプルストリームをさらに処理（たとえば、アナログへの変換、増幅、フィルタ処理、およびアップコンバート）して、ダウンリンク（ＤＬ）信号を取得し得る。一例では、変調器９３２−ａ〜９３２−ｘからのＤＬ信号は、それぞれ、アンテナ９３４−ａ〜９３４−ｘを介して送信され得る。送信機プロセッサ９２０は、プロセッサ９４０から情報を受信し得る。プロセッサ９４０は、図３Ａ、図３Ｂ、図３Ｃ、図６Ａ、図６Ｂ、および図６Ｃの３１０、３１０−ａ、３１０−ｂ、６１０、６１０−ａ、および６１０−ｂに関連して上記で説明した実施形態に従って、送信過負荷制御モジュール３１０−ｅおよび監視モジュール６１０−ｅと通信するように構成され得る。いくつかの実施形態では、プロセッサ９４０は、汎用プロセッサ、送信機プロセッサ９２０、および／または受信機プロセッサ９３８の一部として実装され得る。メモリ９４２がプロセッサ９４０に結合され得る。
【０１０３】
[0114]いくつかの実施形態では、プロセッサ９４０は、ＭＴＣデバイス１１５のための送信、オフ、ＤＴＸ、および／またはＤＲＸサイクルを決定および／または確定するように構成される。たとえば、プロセッサ９４０は、送信機プロセッサ９２０および送信機ＭＩＭＯプロセッサ９３０、変調器９３２およびアンテナ９３４とともに、ワイヤレスデバイス１１５−ｇについてＳＲおよびＲＡＣＨメッセージのための不連続送信サイクルを確定するように構成され得る。プロセッサ９４０は、接続されたワイヤレスデバイス１１５のリストを決定し、ＭＩＭＯ検出器９３６およびプロセッサ９３８、復調器９３２、およびアンテナ９３４を通して、接続されたデバイスのリストのブロードキャストに応答して受信されたメッセージを処理するようにさらに構成され得る。
【０１０４】
[0115]プロセッサ９４０は、指定された時間期間内にキープアライブメッセージを送信しなかったおよび／またはプロセッサ９４０によって決定されなかった、接続されたワイヤレスデバイス１１５のリストを決定するようにさらに構成され得る。
【０１０５】
[0116]ワイヤレスデバイス１１５−ｇにおいて、モバイルデバイスアンテナ９５２−ａ〜９５２−ｎは、基地局１０５−ｅからＤＬ信号を受信し得、受信された信号をそれぞれ復調器９５４−ａ〜９５４−ｎに与え得る。各復調器９５４は、それぞれの受信された信号を調整（たとえば、フィルタ処理、増幅、ダウンコンバート、およびデジタル化）して、入力サンプルを取得し得る。各復調器９５４は、（たとえば、ＯＦＤＭなどのために）入力サンプルをさらに処理して、受信シンボルを取得し得る。ＭＩＭＯ検出器９５６は、すべての復調器９５４−ａ〜９５４−ｎから受信シンボルを取得し、適用可能な場合は受信シンボルに対してＭＩＭＯ検出を実施し、検出シンボルを与え得る。受信機プロセッサ９５８は、検出シンボルを処理（たとえば、復調、デインターリーブ、および復号）して、ＭＴＣデバイス１１５−ｇのための復号されたデータをデータ出力に与え、復号された制御情報をプロセッサ９８０、またはメモリ９８２に与え得る。
【０１０６】
[0117]アップリンク（ＵＬ）上で、ワイヤレスデバイス１１５−ｇにおいて、送信機プロセッサ９６４は、データソースからデータを受信し、処理し得る。送信機プロセッサ９６４はまた、基準信号のための基準シンボルを生成し得る。送信機プロセッサ９６４からのシンボルは、適用可能な場合、送信ＭＩＭＯプロセッサ９６６によってプリコーディングされ、（たとえば、ＳＣ−ＦＤＭＡなどのために）復調器９５４−ａ〜９５４−ｎによってさらに処理され、基地局１０５−ｅから受信された送信パラメータに従って基地局１０５−ｅに送信され得る。送信機プロセッサ９６４は、それぞれ、図３Ａ、図３Ｂ、図３Ｃ、図６Ａ、図６Ｂ、および図６Ｃの３１０、３１０−ａ、３１０−ｂ、６１０、６１０−ａ、および６１０−ｂに関連して上記で説明した実施形態に従って、アップリンクチャネルのための送信サイクルを識別し、基地局１０５−ｅとのハンドシェイク後にタイマーを開始し、および／またはキープアライブメッセージの送信を協調させるように構成され得る。基地局１０５−ｅにおいて、ワイヤレスデバイス１１５−ｇからのＵＬ信号は、アンテナ９３４によって受信され、復調器９３２によって処理され、適用可能な場合はＭＩＭＯ検出器９３６によって検出され、受信プロセッサ９３８によってさらに処理され得る。受信プロセッサ９３８は、復号されたデータをデータ出力とプロセッサ９４０とに与え得る。いくつかの実施形態では、プロセッサ９４０は、汎用プロセッサ、送信機プロセッサ９２０、および／または受信機プロセッサ９３８の一部として実装され得る。
【０１０７】
[0118]いくつかの実施形態では、プロセッサ９８０は、ワイヤレスデバイス１１５−ｇの様々な構成要素をパワーオンおよびパワーオフするために１つまたは複数のタイマーを利用するように構成される。いくつかの実施形態では、プロセッサ９８０は、識別されたＳＲ／ＲＡＣＨ送信サイクル、ＤＴＸサイクル、およびまたはＤＲＸサイクルマスクに従って利用および送信するように構成される。たとえば、プロセッサ９８０は、送信機プロセッサ９６４および送信機ＭＩＭＯプロセッサ９６６、変調器９５４およびアンテナ９５２とともに、基地局１０５−ｅによって指定された期間中のみに送信を限定するように構成され得る。プロセッサ９８０は、ＭＩＭＯ検出器９５６および受信機プロセッサ９５８、復調器９５４、およびアンテナ９５２を通して、基地局１０５−ｅによって指定されたＤＲＸサイクルに従って送信を受信するためにウェイクアップするようにさらに構成され得る。
【０１０８】
[0119]プロセッサ９８０は、ワイヤレスデバイス１１５−ｇと基地局１０５−ｅとの間のハンドシェイク後にタイマーを開始し、タイマーが満了したときに基地局１０５−ｅへのキープアライブハンドシェイク開始メッセージの送信を容易にするようにさらに構成され得る。プロセッサ９８０は、基地局１０５−ｅとの各ハンドシェイク後にタイマーをリセットするようにさらに構成され得る。
【０１０９】
[0120]図１０Ａは、ワイヤレスデバイスの送信過負荷制御を実装するための方法１０００−ａの一例を示すフローチャートである。明快のために、方法１０００−ａについて、先行する図の各々において図示および参照されたワイヤレスデバイス１１５に関して以下で説明する。いくつかの実装形態では、送信過負荷制御モジュール３１０は、以下で説明する機能を実施するようにワイヤレスデバイス１１５あるいはデバイス３００−ａ、３００−ｂ、および／または３００−ｃの機能要素を制御するためのコードの１つまたは複数のセットを実行し得る。
【０１１０】
[0121]ブロック１００５において、ワイヤレスデバイス１１５は、アップリンクチャネルのための送信サイクルを識別し得る。送信サイクルは基地局１０５によって決定され得る。送信サイクルは、ワイヤレスデバイス１１５の様々な構成要素がその間にパワーオンされるスタッガード期間を含み得る。送信サイクルはＤＴＸサイクルの一態様であり得る。ＤＴＸサイクルは、ワイヤレスデバイス１１５の１つまたは複数の構成要素をパワーオンもしくはパワーオフするため、および／またはそれのアクティビティ、および／または非アクティビティをモニタするために、１つまたは複数のタイマーを使用し得る。送信サイクルはＤＲＸサイクルマスクを利用し得る。
【０１１１】
[0122]ブロック１０１０において、ワイヤレスデバイス１１５は、識別された送信サイクルに関してオフサイクルを識別し得る。オフサイクルはＤＴＸサイクルの態様であり得る。ワイヤレスデバイス１１５は、このようにして、オフサイクル中に送信するのを控え得る。
【０１１２】
[0123]ブロック１０１５において、ワイヤレスデバイス１１５は、識別された送信サイクルに従って送信し得る。ワイヤレスデバイス１１５は、同じ送信サイクルに従って送信しているデバイス１１５のセットのうちの１つであり得るが、別のワイヤレスデバイス１１５は、別個のスタッガード送信サイクルに従って送信しているデバイス１１５の別の別個のセットのうちの１つであり得る。ワイヤレスデバイス１１５は、ＤＲＸサイクルに対応する送信サイクルに従って送信し得、ＤＲＸサイクルは、送信サイクルよりも疎または密であり得る。ＤＲＸサイクルのＤＲＸ  ＯＮ持続時間はＤＴＸサイクルのＤＴＸ  ＯＮ持続時間と一致し得る。ＤＴＸサイクルは、ＤＲＸサイクルよりも短いかまたはそれよりも長い期間を有し得る。ワイヤレスデバイス１１５は、送信サイクル全体にわたってＲＲＣ＿ＣＯＮＮＥＣＴＥＤ状態のままであり得る。場合によっては、ワイヤレスデバイス１１５は、スリープモードにある間にＲＲＣ＿ＣＯＮＮＥＣＴＥＤ状態のままである。いくつかの実施形態では、ワイヤレスデバイス１１５は、超低電力ＭＴＣデバイスなどのＭＴＣデバイスである。追加または代替として、ワイヤレスデバイス１１５は遅延耐性であり得、ここで、遅延耐性は、しきい値（たとえば、ワイヤレスデバイスが、同期を失うことなしに別のワイヤレスデバイスまたは基地局と通信する必要がその間にない、しきい値時間期間）に関して定義される。このようにして、遅延耐性は送信サイクルにリンクされ得る。いくつかの実施形態では、ワイヤレスデバイス１１５は、長いスリープサイクルを有し得るＵＥであり得る。ワイヤレスデバイス１１５は、基地局１０５から送信サイクルおよび／またはオフサイクルを受信し得る。そして、ワイヤレスデバイス１１５は、基地局１０５から受信された送信サイクルに従って動作し得る。
【０１１３】
[0124]図１０Ｂは、方法１０００−ａの態様の一例であり得る、方法１０００−ｂの一例を示すフローチャートである。明快のために、方法１０００−ｂについて、先行する図の各々において図示および参照されたワイヤレスデバイス１１５に関して以下で説明する。一実装形態では、送信過負荷制御モジュール３１０は、以下で説明する機能を実施するようにワイヤレスデバイス１１５あるいはデバイス３００−ａ、３００−ｂ、および／または３００−ｃの機能要素を制御するためのコードの１つまたは複数のセットを実行し得る。方法１０００−ｂは、方法１０００−ａの一例であり得る。
【０１１４】
[0125]ブロック１００５−ａにおいて、ワイヤレスデバイス１１５は、アップリンクチャネルのための送信サイクルを識別し得る。ブロック１０１０−ａにおいて、ワイヤレスデバイス１１５は、識別された送信サイクルに関してオフサイクルを識別し得、そのオフサイクル中に、ワイヤレスデバイス１１５は送信するのを控える。ブロック１０１５−ａにおいて、ワイヤレスデバイス１１５は、ＤＲＸサイクルに対応する、識別された送信サイクルに従ってスケジューリング要求またはＲＡＣＨメッセージを送信し得る。ブロック１０２０において、ワイヤレスデバイス１１５は、ワイヤレスデバイス１１５がその間にＤＲＸ  ＯＦＦ期間中に受信するのを控える、ＤＲＸサイクルマスクを利用し得る。
【０１１５】
[0126]図１１Ａは、ワイヤレスデバイスの監視を実装するための方法１１００−ａの一例を示すフローチャートである。明快のために、方法１１００−ａについて、先行する図において図示および参照された基地局１０５ワイヤレスデバイス１１５に関して以下で説明する。一実装形態では、監視モジュール６１０は、以下で説明する機能を実施するように基地局１０５、ワイヤレスデバイス１１５、あるいはデバイス６００−ａおよび／または６００−ｂの機能要素を制御するためのコードの１つまたは複数のセットを実行し得る。
【０１１６】
[0127]ブロック１１０５において、基地局１０５またはワイヤレスデバイス１１５は、ワイヤレスデバイス１１５と基地局１０５との間のハンドシェイク後にワイヤレスデバイス１１５においてタイマーを開始し得る。タイマーは、各後続のハンドシェイク後にリセットされ得る。ブロック１１１０において、ワイヤレスデバイス１１５は、タイマーの満了時にキープアライブハンドシェイク開始メッセージを送信し得る。キープアライブハンドシェイク開始メッセージは、スケジューリング要求（ＳＲ）またはＲＡＣＨメッセージを含み得る。ワイヤレスデバイス１１５は、基地局１０５からの応答メッセージまたはアップリンク許可をリッスンし得る。ワイヤレスデバイス１１５は、クロージングメッセージで、またはクロージングメッセージをもつペイロード中で返答し得る。いくつかの実施形態では、ワイヤレスデバイス１１５は、しきい値に関して定義され得る、遅延耐性であり得る。追加または代替として、遅延耐性は送信サイクルにリンクされ得る。いくつかの実施形態では、ワイヤレスデバイス１１５は、長いスリープサイクルを有するＵＥである。
【０１１７】
[0128]図１１Ｂは、方法１１００−ａの態様の一例であり得る、方法１１００−ｂの一例を示すフローチャートである。明快のために、方法１１００−ｂについて、先行する図の各々において図示および参照された基地局１０５ワイヤレスデバイス１１５に関して以下で説明する。一実装形態では、監視モジュール６１０は、以下で説明する機能を実施するように基地局１０５、ワイヤレスデバイス１１５あるいはデバイス６００−ａ、６００−ｂ、および／または６００−ｃの機能要素を制御するためのコードの１つまたは複数のセットを実行し得る。方法１１００−ｂは、方法１１００−ａの一例であり得る。
【０１１８】
[0129]ブロック１１０５−ａにおいて、ワイヤレスデバイス１１５は、基地局１０５とワイヤレスデバイス１１５との間のハンドシェイク後にワイヤレスデバイス１１５においてタイマーを開始し得る。ブロック１１１０−ａにおいて、ワイヤレスデバイス１１５は、タイマーの満了時に、ＳＲまたはＲＡＣＨメッセージであるキープアライブメッセージを基地局１０５に送信し得る。ブロック１１１５において、ワイヤレスデバイス１１５は、基地局１０５からの応答メッセージを、またはアップリンク許可についてリッスンする。ブロック１１２０において、ワイヤレスデバイスは、クロージングメッセージで返答するか、またはクロージングメッセージをもつペイロード中で返答する。
【０１１９】
[0130]図１２Ａは、ワイヤレスデバイスの監視を実装するための方法１２００−ａの一例を示すフローチャートである。明快のために、方法１２００−ｂについて、基地局１０５とワイヤレスデバイス１１５とに関して以下で説明する。一実装形態では、監視モジュール６１０は、以下で説明する機能を実施するように基地局１０５、ワイヤレスデバイス１１５、あるいはデバイス６００−ａ、６００−ｂ、および／または６００−ｃの機能要素を制御するためのコードの１つまたは複数のセットを実行し得る。
【０１２０】
[0131]ブロック１２０５において、基地局は、接続されたワイヤレスデバイス１１５のリストを決定し得る。接続されたデバイスのリストは、決定されたかまたは基地局１０５に通信される時間期間内にキープアライブハンドシェイク開始メッセージを送信しなかった（たとえば、ＲＡＣＨメッセージまたはＳＲを送信しなかった）１つまたは複数のワイヤレスデバイス１１５を含み得る。ブロック１２１０において、基地局は、接続されたワイヤレスデバイスのリストを含む１つまたは複数のメッセージをブロードキャストし得る。基地局は、スタッガードＤＲＸサイクルに基づいてまたはそれに従って、１つまたは複数のメッセージ中でブロードキャストし得る。ブロードキャストメッセージは、接続されたデバイスのリストからの接続されたワイヤレスデバイス１１５のサブセットのみを含み得る。基地局は、ワイヤレスデバイス１１５が、接続されたデバイスのリスト上にないが、そのリスト上にあるべきであることを示す応答メッセージを、ワイヤレスデバイス１１５から受信し得る。いくつかの実施形態では、ワイヤレスデバイス１１５は遅延耐性であり、ここで、遅延耐性はしきい値に関して定義される。追加または代替として、遅延耐性は送信サイクルにリンクされ得る。いくつかの実施形態では、ワイヤレスデバイス１１５は、長いスリープサイクルを有するＵＥである。
【０１２１】
[0132]図１２Ｂは、方法１２００−ａの態様の一例であり得る、方法１２００−ｂの一例を示すフローチャートである。明快のために、方法１２００−ｂについて、先行する図の各々において図示および参照された基地局１０５ワイヤレスデバイス１１５に関して以下で説明する。一実装形態では、監視モジュール６１０は、以下で説明する機能を実施するように基地局１０５、ワイヤレスデバイス１１５あるいはデバイス６００−ａ、６００−ｂ、および／または６００−ｃの機能要素を制御するためのコードの１つまたは複数のセットを実行し得る。方法１２００−ｂは、方法１２００−ａの一例であり得る。
【０１２２】
[0133]ブロック１２０５−ａにおいて、基地局１０５は、時間期間内にキープアライブハンドシェイク開始メッセージを送信しなかった、接続されたＭＴＣデバイスのリストを決定し得る。ブロック１２１０−ａにおいて、基地局１０５は、各それぞれのメッセージが、接続されたデバイスのリストからの接続されたワイヤレスデバイス１１５のサブセットを含むように、スタッガードＤＲＸサイクルに基づいて複数のメッセージをブロードキャストし得る。
【０１２３】
[0134]添付の図面に関して上記に記載された詳細な説明は、例示的な実施形態について説明しており、実装され得るまたは特許請求の範囲内に入る実施形態のみを表すものではない。この明細書全体にわたって使用される「例示的」という用語は、「例、事例、または例示の働きをすること」を意味し、「好ましい」または「他の実施形態よりも有利である」ことを意味しない。詳細な説明は、説明した技法の理解を与えるための具体的な詳細を含む。しかしながら、これらの技法は、これらの具体的な詳細なしに実践され得る。いくつかの事例では、説明した実施形態の概念を不明瞭にしないように、よく知られている構造およびデバイスがブロック図の形態で示される。
【０１２４】
[0135]情報および信号は、多種多様な技術および技法のいずれかを使用して表され得る。たとえば、上記の説明全体にわたって言及され得るデータ、命令、コマンド、情報、信号、ビット、シンボル、およびチップは、電圧、電流、電磁波、磁界または磁性粒子、光場または光学粒子、あるいはそれらの任意の組合せによって表され得る。
【０１２５】
[0136]本明細書の開示に関して説明した様々な例示的なブロックおよびモジュールは、汎用プロセッサ、デジタル信号プロセッサ（ＤＳＰ）、特定用途向け集積回路（ＡＳＩＣ）、フィールドプログラマブルゲートアレイ（ＦＰＧＡ）または他のプログラマブル論理デバイス、個別ゲートまたはトランジスタ論理、個別ハードウェア構成要素、あるいは本明細書で説明した機能を実施するように設計されたそれらの任意の組合せを用いて実装または実施され得る。汎用プロセッサはマイクロプロセッサであり得るが、代替実施形態では、プロセッサは、任意の従来のプロセッサ、コントローラ、マイクロコントローラ、またはステートマシンであり得る。プロセッサは、コンピューティングデバイスの組合せ、たとえば、ＤＳＰとマイクロプロセッサとの組合せ、複数のマイクロプロセッサ、ＤＳＰコアと連携する１つまたは複数のマイクロプロセッサ、あるいは任意の他のそのような構成としても実装され得る。
【０１２６】
[0137]本明細書で説明した機能は、ハードウェア、ソフトウェア／ファームウェア、またはそれらの組合せで実装され得る。ソフトウェア／ファームウェアで実装される場合、機能は、１つまたは複数の命令またはコードとしてコンピュータ可読媒体上に記憶されるか、あるいはコンピュータ可読媒体を介して送信され得る。他の例および実装形態は、本開示および添付の特許請求の範囲の範囲および趣旨内にある。たとえば、ソフトウェア／ファームウェアの性質により、上記で説明した機能は、たとえば、プロセッサ、ハードウェア、ハードワイヤリング、またはそれらの組合せによって実行されるソフトウェア／ファームウェアを使用して実装され得る。機能を実装する特徴はまた、機能の一部が異なる物理的な場所に実装されるように分散されることを含む、様々な位置に物理的に配置され得る。また、特許請求の範囲を含めて、本明細書で使用される場合、「のうちの少なくとも１つ」で終わる項目の列挙中で使用される「または」は選言的列挙を示しており、たとえば、「Ａ、Ｂ、またはＣのうちの少なくとも１つ」の列挙は、ＡまたはＢまたはＣまたはＡＢまたはＡＣまたはＢＣまたはＡＢＣ（すなわち、ＡおよびＢおよびＣ）を意味する。
【０１２７】
[0138]コンピュータ可読媒体は、ある場所から別の場所へのコンピュータプログラムの転送を容易にする任意の媒体を含む、コンピュータ記憶媒体と通信媒体の両方を含む。記憶媒体は、汎用または専用コンピュータによってアクセスされ得る任意の利用可能な媒体であり得る。限定ではなく例として、コンピュータ可読媒体は、ＲＡＭ、ＲＯＭ、ＥＥＰＲＯＭ（登録商標）、ＣＤ−ＲＯＭまたは他の光ディスクストレージ、磁気ディスクストレージまたは他の磁気ストレージデバイス、あるいは、命令またはデータ構造の形態の所望のプログラムコード手段を搬送または記憶するために使用され得、汎用または専用コンピュータあるいは汎用または専用プロセッサによってアクセスされ得る、任意の他の媒体を備えることができる。また、いかなる接続もコンピュータ可読媒体と適切に呼ばれる。たとえば、ソフトウェア／ファームウェアが、同軸ケーブル、光ファイバーケーブル、ツイストペア、デジタル加入者回線（ＤＳＬ）、または赤外線、無線、およびマイクロ波などのワイヤレス技術を使用して、ウェブサイト、サーバ、または他のリモートソースから送信される場合、同軸ケーブル、光ファイバーケーブル、ツイストペア、ＤＳＬ、または赤外線、無線、およびマイクロ波などのワイヤレス技術は、媒体の定義に含まれる。本明細書で使用するディスク（disk）およびディスク（disc）は、コンパクトディスク（disc）（ＣＤ）、レーザーディスク（登録商標）（disc）、光ディスク（disc）、デジタル多用途ディスク（disc）（ＤＶＤ）、フロッピー（登録商標）ディスク（disk）およびＢｌｕ−ｒａｙ（登録商標）ディスク（disc）を含み、ディスク（disk）は、通常、データを磁気的に再生し、ディスク（disc）は、データをレーザーで光学的に再生する。上記の組合せもコンピュータ可読媒体の範囲内に含まれる。
【０１２８】
[0139]本開示についての以上の説明は、当業者が本開示を作成または使用することができるように提供される。本開示への様々な修正は当業者には容易に明らかとなり、本明細書で定義された一般原理は、本開示の趣旨または範囲から逸脱することなく他の変形形態に適用され得る。したがって、本開示は、本明細書で説明した例および設計に限定されるべきでなく、本明細書で開示する原理および新規の特徴に合致する最も広い範囲を与えられるべきである。
以下に本願の出願当初の特許請求の範囲に記載された発明を付記する。
[Ｃ１]  ワイヤレス通信システムにおける接続状態にあるワイヤレスデバイスのための過負荷制御の方法であって、前記方法は、
アップリンクチャネルについて第１の送信サイクルを識別することと、
前記アップリンクチャネルについて前記第１の送信サイクルに関して第１のオフサイクルを識別することと、ここにおいて、前記ワイヤレスデバイスは、前記第１のオフサイクル中に送信するのを控える、
前記識別された第１の送信サイクルに従ってスケジューリング要求またはランダムアクセスチャネルメッセージを送信することとを備える、方法。
[Ｃ２]  前記ワイヤレスデバイスが、前記第１の送信サイクルを利用するワイヤレスデバイスの第１のセットの一部であり、
第２のワイヤレスデバイスが、前記第１の送信サイクルからスタッガされた第２の送信サイクルを利用するワイヤレスデバイスの第２のセットの一部である、Ｃ１に記載の方法。
[Ｃ３]  前記接続状態がＲＲＣ＿ＣＯＮＮＥＣＴＥＤ状態を備える、Ｃ１に記載の方法。
[Ｃ４]  前記ワイヤレスデバイスが、しきい値に関して定義された遅延耐性を有する遅延耐性デバイスを備え、前記遅延耐性が前記第１の送信サイクルに少なくとも部分的に基づく、Ｃ１に記載の方法。
[Ｃ５]  不連続送信（ＤＴＸ）サイクルが前記第１の送信サイクルと前記第１のオフサイクルとを備える、Ｃ１に記載の方法。
[Ｃ６]  基地局から前記ＤＴＸサイクルのインジケーションを受信することと、
前記受信されたＤＴＸサイクルインジケーションに従って送信することとをさらに備える、Ｃ５に記載の方法。
[Ｃ７]  ＤＲＸ  ＯＮ持続時間とＤＲＸ  ＯＦＦ持続時間とを備える不連続受信（ＤＲＸ）サイクルマスクを利用することをさらに備え、ここにおいて、前記ワイヤレスデバイスは、前記ＤＲＸ  ＯＦＦ持続時間中に受信するのを控える、Ｃ５に記載の方法。
[Ｃ８]  前記ＤＲＸサイクルの各ＤＲＸ  ＯＮ持続時間が前記ＤＴＸサイクルのＤＴＸ  ＯＮ持続時間と一致し、前記ＤＴＸサイクルが前記ＤＲＸサイクルよりも短い期間を有する、Ｃ７に記載の方法。
[Ｃ９]  前記ＤＴＸサイクルの各ＤＴＸ  ＯＮ持続時間が前記ＤＲＸサイクルのＤＲＸ  ＯＮ持続時間と一致し、前記ＤＲＸサイクルが前記ＤＴＸサイクルよりも短い期間を有する、Ｃ７に記載の方法。
[Ｃ１０]  ワイヤレス通信システムにおける接続状態にあるワイヤレスデバイスの過負荷制御のためのシステムであって、前記システムは、
アップリンクチャネルについて第１の送信サイクルを識別するための手段と、
前記アップリンクチャネルについて前記第１の送信サイクルに関して第１のオフサイクルを識別するための手段と、ここにおいて、前記ワイヤレスデバイスは、前記第１のオフサイクル中に送信するのを控える、
前記識別された第１の送信サイクルに従ってスケジューリング要求またはランダムアクセスチャネルメッセージを送信するための手段とを備える、システム。
[Ｃ１１]  前記ワイヤレスデバイスが、前記第１の送信サイクルを利用するワイヤレスデバイスの第１のセットの一部であり、
第２のワイヤレスデバイスが、前記第１の送信サイクルからスタッガされた第２の送信サイクルを利用するワイヤレスデバイスの第２のセットの一部である、Ｃ１０に記載のシステム。
[Ｃ１２]  前記接続状態がＲＲＣ＿ＣＯＮＮＥＣＴＥＤ状態を備える、Ｃ１０に記載のシステム。
[Ｃ１３]  前記ワイヤレスデバイスが、しきい値に関して定義された遅延耐性を有する遅延耐性デバイスを備え、前記遅延耐性が前記第１の送信サイクルに少なくとも部分的に基づく、Ｃ１０に記載のシステム。
[Ｃ１４]  不連続送信（ＤＴＸ）サイクルが前記第１の送信サイクルと前記第１のオフサイクルとを備える、Ｃ１０に記載のシステム。
[Ｃ１５]  基地局から前記ＤＴＸサイクルのインジケーションを受信するための手段と、
前記受信されたＤＴＸサイクルインジケーションに従って送信するための手段とをさらに備える、Ｃ１４に記載のシステム。
[Ｃ１６]  ＤＲＸ  ＯＮ持続時間とＤＲＸ  ＯＦＦ持続時間とを備える不連続受信（ＤＲＸ）サイクルマスクを利用するための手段をさらに備え、ここにおいて、前記ワイヤレスデバイスは、前記ＤＲＸ  ＯＦＦ持続時間中に受信するのを控える、Ｃ１４に記載のシステム。
[Ｃ１７]  前記ＤＲＸサイクルの各ＤＲＸ  ＯＮ持続時間が前記ＤＴＸサイクルのＤＴＸ  ＯＮ持続時間と一致し、前記ＤＴＸサイクルが前記ＤＲＸサイクルよりも短い期間を有する、Ｃ１６に記載のシステム。
[Ｃ１８]  前記ＤＴＸサイクルの各ＤＴＸ  ＯＮ持続時間が前記ＤＲＸサイクルのＤＲＸ  ＯＮ持続時間と一致し、前記ＤＲＸサイクルが前記ＤＴＸサイクルよりも短い期間を有する、Ｃ１６に記載のシステム。
[Ｃ１９]  ワイヤレス通信システムにおけるワイヤレスデバイスの監視のための方法であって、前記方法が、
ワイヤレスデバイスと基地局との間のハンドシェイク後に前記ワイヤレスデバイスにおいてタイマーを開始することと、
前記タイマーの満了時に前記基地局にキープアライブハンドシェイク開始メッセージを送信することとを備える、方法。
[Ｃ２０]  前記キープアライブハンドシェイク開始メッセージがランダムアクセスプリアンブルを備える、Ｃ１９に記載の方法。
[Ｃ２１]  前記基地局からランダムアクセス応答メッセージを受信することをさらに備える、Ｃ２０に記載の方法。
[Ｃ２２]  前記キープアライブハンドシェイク開始メッセージがスケジューリング要求を備える、Ｃ１９に記載の方法。
[Ｃ２３]  前記基地局からアップリンク許可を受信することと、
前記基地局にクロージングメッセージとともにペイロードを送信することとをさらに備える、Ｃ２２に記載の方法。
[Ｃ２４]  前記基地局にクロージングメッセージを送信するときに前記ワイヤレスデバイスにおいて前記タイマーをリセットすることをさらに備える、Ｃ１９に記載の方法。
[Ｃ２５]  ワイヤレス通信システムにおけるワイヤレスデバイスの監視のためのシステムであって、前記システムが、
前記ワイヤレスデバイスと基地局との間のハンドシェイク後に前記ワイヤレスデバイスにおいてタイマーを開始するための手段と、
前記タイマーの満了時に前記基地局にキープアライブハンドシェイク開始メッセージを送信するための手段とを備える、システム。
[Ｃ２６]  前記キープアライブハンドシェイク開始メッセージがランダムアクセスプリアンブルを備える、Ｃ２５に記載のシステム。
[Ｃ２７]  前記基地局からランダムアクセス応答メッセージを受信するための手段をさらに備える、Ｃ２６に記載のシステム。
[Ｃ２８]  前記キープアライブハンドシェイク開始メッセージがスケジューリング要求を備える、Ｃ２５に記載のシステム。
[Ｃ２９]  前記基地局からアップリンク許可を受信するための手段と、
前記基地局にクロージングメッセージとともにペイロードを送信するための手段とをさらに備える、Ｃ２８に記載のシステム。
[Ｃ３０]  前記基地局にクロージングメッセージを送信するときに前記ワイヤレスデバイスにおいて前記タイマーをリセットするための手段をさらに備える、Ｃ２５に記載のシステム。
【図１】
0006495248.tif 000002
【図２】
0006495248.tif 000003
【図３Ａ】
0006495248.tif 000004
【図３Ｂ】
0006495248.tif 000005
【図３Ｃ】
0006495248.tif 000006
【図４Ａ】
0006495248.tif 000007
【図４Ｂ】
0006495248.tif 000008
【図５Ａ】
0006495248.tif 000009
【図５Ｂ】
0006495248.tif 000010
【図６Ａ】
0006495248.tif 000011
【図６Ｂ】
0006495248.tif 000012
【図６Ｃ】
0006495248.tif 000013
【図７】
0006495248.tif 000014
【図８】
0006495248.tif 000015
【図９】
0006495248.tif 000016
【図１０Ａ】
0006495248.tif 000017
【図１０Ｂ】
0006495248.tif 000018
【図１１Ａ】
0006495248.tif 000019
【図１１Ｂ】
0006495248.tif 000020
【図１２Ａ】
0006495248.tif 000021
【図１２Ｂ】
0006495248.tif 000022